(57)【特許請求の範囲】
【請求項１】
扉取付枠と、前記扉取付枠に対して開閉可能に支持される扉体と、前記扉体を前記扉取付枠に施錠する施錠手段とを備え、前記扉取付枠に対して前記扉体が、その左右一側部側及び左右他側部側のどちら側からでも開放可能に構成された遊技機において、
前記扉体の左右一側部に対応して設けられた第１軸部と、
前記扉体の左右他側部に対応して設けられた第２軸部と、
前記扉取付枠の左右一側部に対応して設けられ、前記第１軸部を軸支可能とする第１軸受部と、
前記扉取付枠の左右他側部に対応して設けられ、前記第２軸部を軸支可能とする第２軸受部とを備え、
前記施錠手段は、
前記第１軸受部に軸支された状態にある前記第１軸部の前記第１軸受部から外れる方向への変位を規制する規制位置と、前記第１軸受部に軸支された状態にある前記第１軸部の前記第１軸受部から外れる方向への変位を許容する許容位置との間を変位可能に構成された第１係止手段と、
前記第２軸受部に軸支された状態にある前記第２軸部の前記第２軸受部から外れる方向への変位を規制する規制位置と、前記第２軸受部に軸支された状態にある前記第２軸部の前記第２軸受部から外れる方向への変位を許容する許容位置との間を変位可能に構成された第２係止手段と、
所定の解錠操作が行われることで、前記規制位置にある前記第１係止手段を前記許容位置へと変位可能な第１解錠操作手段と、
所定の解錠操作が行われることで、前記規制位置にある前記第２係止手段を前記許容位置へと変位可能な第２解錠操作手段とを備え、
前記扉体の施錠状態では、前記第１係止手段及び前記第２係止手段が前記規制位置にて保持され、
前記第１解錠操作手段の解錠操作が行われた場合には、前記第１係止手段が前記許容位置とされ、前記第２軸部及び前記第２軸受部を中心として、前記扉体をその左右一側部側から開放可能に構成され、
前記第２解錠操作手段の解錠操作が行われた場合には、前記第２係止手段が前記許容位置とされ、前記第１軸部及び前記第１軸受部を中心として、前記扉体をその左右他側部側から開放可能に構成され、
前記扉体が前記第１軸部及び前記第１軸受部を中心として所定角度の範囲で開放されている状態では、前記第１解錠操作手段の解錠操作が行われた場合でも、前記第１軸部が前記第１軸受部に軸支された状態が維持され、
前記扉体が前記第２軸部及び前記第２軸受部を中心として所定角度の範囲で開放されている状態では、前記第２解錠操作手段の解錠操作が行われた場合でも、前記第２軸部が前記第２軸受部に軸支された状態が維持されることを特徴とする遊技機。
【請求項２】
前記遊技機は、パチンコ機、スロットマシン、又は、パチンコ機とスロットマシンとを融合した形式の遊技機であることを特徴とする請求項１に記載の遊技機。
【発明の詳細な説明】
【技術分野】
【０００１】
本発明は、パチンコ機等の遊技機に関するものである。
【背景技術】
【０００２】
遊技機の一種として、パチンコ遊技機やスロットマシン等が知られている。パチンコ機では、例えば、発射装置にて打ち出された遊技球が案内される遊技領域に設けられた始動入球手段に遊技球が入球すると当たり状態を発生させるか否かの当否抽選が行われる。前記当否抽選にて当選した場合には、遊技者に有利な当たり状態が発生し、遊技者は遊技価値（賞球等）を獲得することが可能となる。
【０００３】
また、パチンコ機においては、遊技盤等が設けられる内枠に対して、遊技盤を視認可能とするガラス窓が設けられた前面枠が開閉可能に取付けられており、遊技盤とガラス窓との間に形成される遊技領域等において球詰り等の各種不具合が生じた場合には、前面枠を開放して対処できるように構成されている（例えば、特許文献１参照）。
【先行技術文献】
【特許文献】
【０００４】
【特許文献１】特開２００３−１５４１１０号公報
【発明の概要】
【発明が解決しようとする課題】
【０００５】
ところで、前面枠を開放しても、前面枠の回動軸側の部位に対する作業が行い難いといった問題がある。特に、近年では、遊技領域が拡大される傾向にあり、これに伴って、前面枠を開放しての作業範囲が、前面枠の回動軸近接にまで及ぶようになっているため、かかる不具合がより顕著なものとなっている。尚、上記課題は、パチンコ機に限られるものではなく、スロットマシン等の他の遊技機にも該当する問題である。
【０００６】
本発明は、上記例示した問題点等を解決するためになされたものであり、その目的は、扉体の不正開放を防止しつつ、扉体を開放しての作業をよりスムースに行うことができる遊技機を提供することにある。
【課題を解決するための手段】
【０００７】
本発明の遊技機は、
扉取付枠と、前記扉取付枠に対して開閉可能に支持される扉体と、前記扉体を前記扉取付枠に施錠する施錠手段とを備え、前記扉取付枠に対して前記扉体が、その左右一側部側及び左右他側部側のどちら側からでも開放可能に構成された遊技機において、
前記扉体の左右一側部に対応して設けられた第１軸部と、
前記扉体の左右他側部に対応して設けられた第２軸部と、
前記扉取付枠の左右一側部に対応して設けられ、前記第１軸部を軸支可能とする第１軸受部と、
前記扉取付枠の左右他側部に対応して設けられ、前記第２軸部を軸支可能とする第２軸受部とを備え、
前記施錠手段は、
前記第１軸受部に軸支された状態にある前記第１軸部の前記第１軸受部から外れる方向への変位を規制する規制位置と、前記第１軸受部に軸支された状態にある前記第１軸部の前記第１軸受部から外れる方向への変位を許容する許容位置との間を変位可能に構成された第１係止手段と、
前記第２軸受部に軸支された状態にある前記第２軸部の前記第２軸受部から外れる方向への変位を規制する規制位置と、前記第２軸受部に軸支された状態にある前記第２軸部の前記第２軸受部から外れる方向への変位を許容する許容位置との間を変位可能に構成された第２係止手段と、
所定の解錠操作が行われることで、前記規制位置にある前記第１係止手段を前記許容位置へと変位可能な第１解錠操作手段と、
所定の解錠操作が行われることで、前記規制位置にある前記第２係止手段を前記許容位置へと変位可能な第２解錠操作手段とを備え、
前記扉体の施錠状態では、前記第１係止手段及び前記第２係止手段が前記規制位置にて保持され、
前記第１解錠操作手段の解錠操作が行われた場合には、前記第１係止手段が前記許容位置とされ、前記第２軸部及び前記第２軸受部を中心として、前記扉体をその左右一側部側から開放可能に構成され、
前記第２解錠操作手段の解錠操作が行われた場合には、前記第２係止手段が前記許容位置とされ、前記第１軸部及び前記第１軸受部を中心として、前記扉体をその左右他側部側から開放可能に構成され、
前記扉体が前記第１軸部及び前記第１軸受部を中心として所定角度の範囲で開放されている状態では、前記第１解錠操作手段の解錠操作が行われた場合でも、前記第１軸部が前記第１軸受部に軸支された状態が維持され、
前記扉体が前記第２軸部及び前記第２軸受部を中心として所定角度の範囲で開放されている状態では、前記第２解錠操作手段の解錠操作が行われた場合でも、前記第２軸部が前記第２軸受部に軸支された状態が維持されることを特徴としている。
【０００８】
尚、前記遊技機は、パチンコ機、スロットマシン、又は、パチンコ機とスロットマシンとを融合した形式の遊技機であることとしてもよい。
【発明の効果】
【０００９】
本発明によれば、扉体の不正開放を防止しつつ、扉体を開放しての作業をよりスムースに行うことができる。
【図面の簡単な説明】
【００１０】
【図１】一実施形態におけるパチンコ機を示す正面図である。
【図２】パチンコ機を示す斜視図である。
【図３】内枠及び前面枠セットを開放した状態を示す斜視図である。
【図４】内枠および遊技盤等の構成を示す正面図である。
【図５】パチンコ機の構成を示す背面図である。
【図６】内枠及び裏パックユニット等を開放した状態を示す斜視図である。
【図７】パチンコ機の主な電気的構成を示すブロック図である。
【図８】前面枠セット及び内枠を模式的に示す前面側の斜視図である。
【図９】前面枠セット及び内枠を模式的に示す背面側の斜視図である。
【図１０】前面枠セットを右側から開放した状態を模式的に示す斜視図である。
【図１１】前面枠セットを左側から開放した状態を模式的に示す斜視図である。
【図１２】軸ユニットの分解斜視図である。
【図１３】軸ユニットの分解斜視図である。
【図１４】軸ユニットの動作説明を行うための斜視図である。
【図１５】軸ユニットの動作説明を行うための斜視図である。
【図１６】軸受ユニット等の斜視図であって、（ａ）は前面側から見た場合を示し、（ｂ）は背面側から見た場合を示す。
【図１７】錠前取付ユニットや軸受ユニット等の分解斜視図である。
【図１８】錠前取付ユニットや軸受ユニット等の分解斜視図である。
【図１９】前面枠セットが閉鎖されている際の、前面枠セットの右側の軸ユニットのピン部材と、軸受ユニットとの相対位置関係を説明するための図であって、（ａ）は斜視図、（ｂ）は一部断面を含む平面図である。
【図２０】前面枠セットの右側の解錠操作を行った際の、前面枠セットの右側の軸ユニットのピン部材と、軸受ユニットとの相対位置関係を説明するための図であって、（ａ）は斜視図、（ｂ）は一部断面を含む平面図である。
【図２１】前面枠セットの右側を開放させる際の、前面枠セットの右側の軸ユニットのピン部材と、軸受ユニットとの相対位置関係を説明するための図である。
【図２２】前面枠セットの右側を開放した後の、前面枠セットの右側の軸ユニットのピン部材と、軸受ユニットとの相対位置関係を説明するための図である。
【図２３】前面枠セットの左側を開放した状態で、前面枠セットの右側の解錠操作を行った場合の、前面枠セットの右側の軸ユニットのピン部材と、軸受ユニットとの相対位置関係を説明するための図である。
【図２４】前面枠セットが閉鎖されている際の、前面枠セットの左側の軸ユニットのピン部材と、軸受ユニットとの相対位置関係を説明するための図である。
【図２５】前面枠セットが閉鎖されている際の、内枠の背面を模式的に示す背面図である。
【図２６】図２５に示す内枠の背面等を含む斜視図である。
【図２７】前面枠セットの右側の解錠操作を行った際の、内枠の背面を模式的に示す背面図である。
【図２８】図２７に示す内枠の背面等を含む斜視図である。
【図２９】前面枠セットの左側の解錠操作を行った際の、内枠の背面を模式的に示す背面図である。
【図３０】図２９に示す内枠の背面等を含む斜視図である。
【図３１】内枠の解錠操作を行った際の、内枠の背面を模式的に示す背面図である。
【図３２】図３１に示す内枠の背面等を含む斜視図である。
【図３３】前面枠セットの解錠を行う際の、シリンダ錠、錠前取付ユニット、及び鉤部等を示す側面図である。
【図３４】前面枠セットの解錠を行う際の、シリンダ錠、錠前取付ユニット、及び鉤部等を示す斜視図である。
【図３５】内枠の解錠を行う際の、シリンダ錠、錠前取付ユニット、及び鉤部等を示す側面図である。
【図３６】内枠の解錠を行う際の、シリンダ錠、錠前取付ユニット、及び鉤部等を示す斜視図である。
【図３７】別の実施形態における内枠及び前面枠セット等を模式的に示す斜視図である。
【図３８】別の実施形態における内枠及び前面枠セットを模式的に示す平面図である。
【図３９】別の実施形態における内枠及び前面枠セットを模式的に示す平面図である。
【図４０】別の実施形態における内枠及び前面枠セットを模式的に示す平面図である。
【図４１】別の実施形態における前枠用ハーネスを前面枠セットの収容凹部に収納させるための構成を模式的に示す断面図である。
【図４２】別の実施形態における前枠用ハーネスを前面枠セットの収容凹部に収納させるための構成を模式的に示す前面枠セットの部分背面図である。
【発明を実施するための形態】
【００１１】
以下、パチンコ遊技機（以下、単に「パチンコ機」という）の一実施形態を、図面に基づいて詳細に説明する。図３等に示すように、パチンコ機１０は、当該パチンコ機１０の外郭を構成する外枠１１を備えており、この外枠１１の一側部に内枠１２が開閉可能に支持されている。但し、図３では便宜上、後述する遊技盤３０の面上に配設される釘や役物、前面枠セット１４に取付けられるガラスユニット１３７等を省略して示している。
【００１２】
外枠１１は、図６等に示すように、上辺枠構成部１１ａと、下辺枠構成部１１ｂと、左辺枠構成部１１ｃと、右辺枠構成部１１ｄとを備え、これら各枠構成部１１ａ〜１１ｄがネジ等の離脱可能な締結具により全体として矩形枠状に組み付けられている。
【００１３】
左辺枠構成部１１ｃの上下端部には、それぞれ上ヒンジ８１及び下ヒンジ８２が取着されている（図２参照）。当該上ヒンジ８１及び下ヒンジ８２にて、内枠１２の上下部が回動可能に支持されており、これにより内枠１２が開閉可能となる。
【００１４】
内枠１２は、外形が矩形状をなす樹脂ベース３８を主体に構成されており、当該樹脂ベース３８の中央部には略楕円形状の窓孔３９が形成されている。また、図３に示すように、内枠１２の開閉軸線は、パチンコ機１０の正面からみて左側において上下に沿って設定されており、この開閉軸線を軸心として内枠１２が前方側に開放できるようになっている。そして、内枠１２の閉状態では、外枠１１の内側に形成される空間部に内枠１２等の大部分が収容されることとなる。
【００１５】
さらに、下辺枠構成部１１ｂには樹脂製の幕板飾り８７が取着されている。幕板飾り８７の上面奥部には、上方に突出するリブ８８が一体形成されている。これにより内枠１２との間に隙間が形成されにくくなっている。
【００１６】
また、内枠１２の前面側には前面枠セット１４が開閉可能に取付けられている。尚、詳しくは後述するが、本実施形態の前面枠セット１４は、パチンコ機１０の正面から見て左側において上下に沿って設定された開閉軸線を軸心として前方側に開放できるだけでなく、パチンコ機１０の正面から見て右側において上下に沿って設定された開閉軸線を軸心として前方側に開放できるようになっている。
【００１７】
前面枠セット１４は、内枠１２と同様に外形が矩形状をなし、閉状態においては内枠１２の前面側ほぼ全域を覆う。前面枠セット１４の中央部には略楕円形状の窓部１０１が形成されている。これにより、前面枠セット１４の窓部１０１及び内枠１２の窓孔３９を介して、内枠１２の後面に装着される遊技盤３０（遊技領域）を外部から視認可能となる。尚、遊技盤３０の詳細な構成については後述する。
【００１８】
図１に示すように、前面枠セット１４の前面側には、その下部中央において球受皿としての下皿１５が設けられており、排出口１６より排出された遊技球を下皿１５にて貯留可能になっている。また、下皿１５の手前側には、下皿１５から遊技球を排出させるための球抜きレバー２５が設けられている。加えて、下皿１５の左部には、ＬＥＤが内蔵された演出ボタン１２５が設けられており、演出ボタン１２５を押圧操作することで、後述する装飾図柄表示装置４２等において対応する演出が行われたり、演出内容が変更されたりする。
【００１９】
下皿１５の右方には、手前側に突出した遊技球発射ハンドル（以下、単にハンドル１８という）が設けられている。尚、ハンドル１８には、図示しないタッチセンサや、ハンドル１８の操作部の操作量を検出するための図示しない操作量検出手段（可変抵抗器）が設けられている。そして、ハンドル１８が右回りに回動操作されると、回動操作量に応じた強さで、後述する発射手段としての発射装置６０によって遊技球が発射される。また、ハンドル１８には、ハンドル１８を握った右手の親指で押圧操作可能な発射禁止ボタン１８ａが設けられている。当該発射禁止ボタン１８ａを押圧した状態においては、ハンドル１８を握っていたとしても、発射装置６０による遊技球の発射が禁止される。このため、遊技球の発射を禁止しつつハンドル１８の回動操作を行ったり、ハンドル１８を握った状態で、一時的に遊技球の発射を止めたりすることができる。
【００２０】
下皿１５の上方には上皿１９が設けられている。上皿１９は、遊技球を一旦貯留し、一列に整列させながら後述する発射装置６０の方へ案内する球受皿である。尚、上皿１９が遊技球で満杯になった状態では、払出される遊技球は、後述する下皿連通路７１及び排出口１６を介して、下皿１５へと案内される。
【００２１】
上皿１９には球貸しボタン１２１と返却ボタン１２２とが設けられている。これにより、遊技ホール等において、パチンコ機１０の側方に配置されるカードユニット（球貸しユニット）に紙幣やカード等を投入した状態で球貸しボタン１２１が操作されると、その操作に応じて貸出球が上皿１９に供給される。一方、返却ボタン１２２は、カードユニットに挿入されたカード等の返却を求める際に操作される。但し、カードユニットを介さずに球貸し装置等から上皿１９に遊技球が直接貸し出されるパチンコ機、いわゆる現金機では球貸しボタン１２１及び返却ボタン１２２は不要である。
【００２２】
さらに、上皿１９には、球抜きボタン１２３が設けられている。球抜きボタン１２３が押圧操作されることで、上皿１９の球案内路の下流側に設けられ、下皿１５に連通する連通孔（図示略）が開口し、上皿１９に貯留されていた遊技球が下皿１５へと案内される（落下する）。つまり、遊技者は、球抜きボタン１２３を操作することで、上皿１９にある遊技球をいつでも下皿１５に移すことができる。
【００２３】
また、前面枠セット１４の前面にはその周囲に各種ランプ等の発光手段が設けられている。これら発光手段は、大当たり時や所定のリーチ時等における遊技状態の変化に応じて点灯、点滅といった発光態様が変更制御され遊技中の演出効果を高める役割を果たすものである。例えば、窓部１０１の周縁には、ＬＥＤ等の発光手段を内蔵した環状電飾部１０２が設けられている。また、該環状電飾部１０２の両側部には、所定のエラー時に点灯するエラー表示ランプ１０４が設けられている。加えて、前面枠セット１４の後面には、左上及び右上の角部近傍位置においてスピーカＳＰが設けられるとともに、前面枠セット１４のうちスピーカＳＰに対応する部位には、小さな透孔が多数形成されている。
【００２４】
さらに、前面枠セット１４の後面側にはガラスユニット１３７が取付けられている。ガラスユニット１３７は、従来の前後一対の矩形状の板ガラスが前後対をなして別々に取着されるものではなく、全体として丸形をなし、アッセンブリ化された上で取付けられている。
【００２５】
次に、内枠１２（樹脂ベース３８）について図４を参照して説明する。上述した通り、内枠１２（樹脂ベース３８）には、窓孔３９の後側において遊技盤３０が装着されている。遊技盤３０は、その周縁部が内枠１２（樹脂ベース３８）の裏側に当接した状態で取着されている。従って、遊技盤３０の前面部の略中央部分が樹脂ベース３８の窓孔３９を通じて内枠１２の前面側に露出した状態となっている。
【００２６】
また、内枠１２（樹脂ベース３８）の前面下部、すなわち窓孔３９（遊技盤３０）の下方位置には、発射装置６０と、当該発射装置６０より発射された直後の遊技球を案内する発射レール６１とが取付けられている。本実施形態では、発射装置６０としてソレノイド式発射装置を採用している。また、発射装置６０の上方には、上皿１９から案内される遊技球を、内蔵された駆動手段（例えばソレノイド）の駆動により、１球ずつ発射装置６０の発射位置へと供給する球送り装置６３が設けられている。
【００２７】
次に、遊技盤３０の構成について図４を参照して説明する。遊技盤３０には、一般入賞口３１、可変入賞装置３２、始動入賞ユニット（始動口）３３、スルーゲート３４、可変表示装置ユニット３５、第１特別表示装置４３Ｌ及び第２特別表示装置４３Ｒ等がルータ加工によって形成された貫通孔に配設され、遊技盤３０前面側から木ネジ等により取付けられている。周知の通り一般入賞口３１、可変入賞装置３２、始動入賞ユニット３３などの各種入賞口に遊技球が入球（入賞）すると、各種検出スイッチにより検出され、上皿１９（又は下皿１５）へ所定数の賞球が払い出される。例えば、始動入賞ユニット３３への入球があった場合には３個、一般入賞口３１への入球があった場合には１０個、可変入賞装置３２への入球があった場合には１５個の遊技球が上皿１９（下皿１５）に払出される。その他に、遊技盤３０にはアウト口３６が設けられており、一般入賞口３１等の各種入賞口のいずれにも入賞しなかった遊技球は、このアウト口３６を通って遊技領域外へと排出される。また、遊技盤３０には、遊技球の落下方向を適宜分散、調整等するために多数の釘が植設されているとともに、風車等の各種部材（役物）が配設されている。
【００２８】
始動入賞ユニット３３は、始動入球手段としての上入賞口３３ａ及び下入賞口３３ｂと、下入賞口３３ｂの両側部に設けられた開閉する一対の開閉部材３３ｃを備えている。上入賞口３３ａは、遊技球が常時入球可能となっているのに対し、下入賞口３３ｂは、開閉部材３３ｃが所定条件の成立に応じて開閉動作することにより、遊技領域を流下する遊技球が入球可能な開状態と、遊技球が入球不可能な閉状態との間で状態変化可能に構成されている。尚、詳しくは後述するが、始動入賞ユニット３３は、上入賞口３３ａ、下入賞口３３ｂに入球した遊技球をそれぞれ検知する第1始動入賞スイッチ２２４ａ、第２始動入賞スイッチ２２４ｂを備えており、当該始動入賞スイッチ２２４ａ、２２４ｂにて遊技球が検知された場合に、大当たり状態を発生させるか否かの当否抽選が行われるとともに、特別表示装置４３Ｌ、４３Ｒ（及び後述する装飾図柄表示装置４２）にて変動表示が行われる構成となっている。そして、当否抽選にて当選した（大当たり）場合には、可変入賞装置３２が開放される大当たり状態（特別遊技状態）が付与されることとなる。
【００２９】
第１及び第２特別表示装置４３Ｌ、４３Ｒは、それぞれ２文字（及びドット）を表示可能なタイプの７セグメント表示装置により構成され、可変入賞装置３２の右方に設置されている。そして、始動入賞ユニット３３の上入賞口３３ａへの遊技球の入球を契機として第１特別表示装置４３Ｌにて切替表示（変動表示）が行われ、下入賞口３３ｂへの遊技球の入球を契機として第２特別表示装置４３Ｒにて切替表示（変動表示）が行われる構成となっている。尚、特別表示装置４３Ｌ、４３Ｒは、後述する主制御手段としての主制御装置２６１によって表示内容が直接的に制御される。
【００３０】
また、第１及び第２特別表示装置４３Ｌ、４３Ｒにて変動表示が行われた後、当該変動表示が停止したときの表示態様（点灯態様）により、大当たりか否かが確定的に表示される。例えば、上入賞口３３ａに遊技球が入賞すると、対応する第１特別表示装置４３Ｌにて点灯態様（点灯するセグメントの組合わせ）が高速で（例えば４ｍｓｅｃ毎に）切替表示（変動表示）され、所定時間が経過すると、いずれかの点灯態様を停止表示（例えば数秒間停止）する。そして、大当たり抽選に当選した場合には、対応する点灯態様が変動停止時に表示され、大当たり状態が発生する。また、特別表示装置４３Ｌ、４３Ｒにおいては、大当たりか否かが教示されるだけでなく、大当たりの場合には、大当たり種別についても教示される。
【００３１】
尚、第１特別表示装置４３Ｌ、第２特別表示装置４３Ｒのどちらか一方において、変動表示又は決定表示が行われている場合には、他方が消灯状態とされており（「−」を表示しておいてもよい）、どちらにおいても変動表示及び決定表示が行われていない場合には、両方においてそれぞれ「−」が表示される。
【００３２】
また、第１又は第２特別表示装置４３Ｌ、４３Ｒの変動表示中に新たに遊技球が始動入賞ユニット３３に入賞した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では、上入賞口３３ａに入賞した遊技球、及び下入賞口３３ｂに入賞した遊技球に対応して、それぞれ４回までの変動表示（合計８回の変動表示）が保留される。また、その保留回数が第１保留ランプ４６ａ、第２保留ランプ４６ｂにて点灯表示されるようになっている。尚、大当たり状態中に新たに遊技球が始動入賞ユニット３３に入賞した場合、その分の変動表示についても保留される。
【００３３】
尚、基本的に、上入賞口３３ａへの入賞を契機とする変動表示は、対応する遊技球が上入賞口３３ａへ入球した順に記憶されるとともに入球した順に消化され、下入賞口３３ｂへの入賞を契機とする変動表示は、対応する遊技球が下入賞口３３ｂへ入球した順に記憶されるとともに入球した順に消化される。但し、上入賞口３３ａへの入賞を契機とする変動表示、及び、下入賞口３３ｂへの入球を契機とする変動表示の両方が保留されている場合（第１保留ランプ４６ａ及び第２保留ランプ４６ｂがそれぞれ１つ以上点灯している場合）には、下入賞口３３ｂへの入球を契機とする変動表示が優先的に消化される。すなわち、下入賞口３３ｂへの入賞を契機とする変動表示が全て消化された状態でなければ、上入賞口３３ａへの入球を契機とする変動表示が行われない構成となっている。例えば、第１保留ランプ４６ａが１つ点灯している状態において、下入賞口３３ｂに遊技球が入球し、第２保留ランプ４６ｂが１つ点灯した場合、上入賞口３３ａへの入球を契機とする変動表示が後回しにされ、先に下入賞口３３ｂへの入球を契機とする変動表示が行われることとなる。以下、説明の便宜上、上入賞口３３ａへの入球を契機とする変動表示を「第１変動表示」とも称し、下入賞口３３ｂへの入球を契機とする変動表示を「第２変動表示」とも称する。
【００３４】
可変入賞装置３２は、通常は遊技球が入賞できない閉状態になっており、大当たり状態（特別遊技状態の発生）の際に、遊技球が入賞可能な開状態とされる。尚、図示は省略するが、可変入賞装置３２は、遊技盤３０の後方へと通じる大入賞口（入賞口）と、大入賞口を開閉するシャッタと、シャッタを動作させるための大入賞口ソレノイド（駆動手段）と、大入賞口に入球した遊技球を検出するカウントスイッチ２２３とを備え、大入賞口ソレノイドを駆動制御し、シャッタを開閉させることで、可変入賞装置３２（大入賞口）を閉状態と開状態とに切替えている。
【００３５】
また、スルーゲート３４は、遊技領域を流下する遊技球が１球ずつ通過可能に構成されている。詳しくは後述するが、スルーゲート３４は、当該スルーゲート３４を通過する遊技球を検知可能なスルーゲートスイッチ２２５を備えており、当該スルーゲートスイッチ２２５にて遊技球が検知された場合に、始動入賞ユニット３３を開状態とするか否かの入球アシスト抽選が行われるとともに、普通図柄表示装置４１にて当該入球アシスト抽選の結果を教示するための変動表示が行われる。そして、入球アシスト抽選にて当選した場合には、当該変動表示の終了後に始動入賞ユニット３３（開閉部材３３ｃ）が規定時間だけ開状態とされる。
【００３６】
可変表示装置ユニット３５には、スルーゲート３４の通過を契機として変動表示する普通図柄表示装置４１と、第１及び第２特別表示装置４３Ｌ、４３Ｒによる変動表示に合わせて変動表示する装飾図柄表示装置４２とが設けられている。さらに、可変表示装置ユニット３５には、装飾図柄表示装置４２にて行われている変動表示が上入賞口３３ａ及び下入賞口３３ｂのうちどちらの入球に対応するものであるかを示す変動特定ランプ４０と、上記第１保留ランプ４６ａ及び第２保留ランプ４６ｂと、保留ランプ４４とが設けられている。
【００３７】
普通図柄表示装置４１は、普通図柄として「○」又は「×」を点灯表示可能に構成されており、遊技球がスルーゲート３４を通過する毎に例えば普通図柄を「○」→「×」→「○」→・・・という具合に高速で切換表示（変動表示）する。そして、その変動表示が「○」図柄（当選図柄）で数秒間停止した場合には、始動入賞ユニット３３（開閉部材３３ｃ）が所定時間だけ開状態となる。この普通図柄表示装置４１は、後述する主制御装置２６１によって直接的に表示内容が制御される。
【００３８】
また、普通図柄表示装置４１の変動表示中に、新たに遊技球がスルーゲート３４を通過した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４４にて点灯表示されるようになっている。
【００３９】
装飾図柄表示装置４２は液晶表示装置として構成されており、後述するサブ制御装置２６２及び表示制御装置４５によって表示内容が制御される。すなわち、装飾図柄表示装置４２においては、第１及び第２特別表示装置４３Ｌ、４３Ｒにて表示される結果に対応させるように、主制御装置２６１からのコマンドに基づき、サブ制御装置２６２によって補助的な表示内容が決定され、後述する表示制御装置４５によって表示が行われる。
【００４０】
装飾図柄表示装置４２には、例えば、上、中及び下の３つの図柄表示領域が設けられ、各図柄表示領域において複数種類の図柄（例えば１〜９の数字が付された図柄）が順次表示され（変動表示され）、その後、図柄表示領域毎に順番に（例えば、上図柄表示領域→下図柄表示領域→中図柄表示領域の順に）図柄が停止表示されるようになっている。例えば、主制御装置２６１にて大当たりが確定すると、第１又は第２特別表示装置４３Ｌ、４３Ｒにて大当たりに対応する表示がなされるとともに、装飾図柄表示装置４２にて図柄が大当たりに対応する組合わせで停止表示され（例えば、上図柄表示領域、中図柄表示領域、及び下図柄表示領域にて停止表示される図柄が同一となり）、大当たり状態が開始される。
【００４１】
また、図柄が大当たりに対応する組合わせで停止表示される場合には、その前段階として、例えば、上図柄表示領域及び下図柄表示領域において同一の図柄が停止表示されることとなる。このように上図柄表示領域及び下図柄表示領域にて同一図柄が停止表示されるとともに、中図柄表示領域において未だ変動表示が行われている状態がリーチ状態である。
【００４２】
加えて、変動特定ランプ４０は、発光色が青色のＬＥＤ及び発光色が赤色のＬＥＤを備えており、装飾図柄表示装置４２において、上入賞口３３ａへの入球を契機とする変動表示が行われている場合には青色に発光し、下入賞口３３ｂへの入球を契機とする変動表示が行われている場合には赤色に発光する。
【００４３】
また、可変表示装置ユニット３５には、装飾図柄表示装置４２を囲むようにしてセンターフレーム４７が配設されている。センターフレーム４７の上部には入球口１５１が設けられており、該入球口１５１に入球した遊技球は、センターフレーム４７の内部に形成され、装飾図柄表示装置４２の側部に沿って上下に延びるワープ流路１５２を介して、装飾図柄表示装置４２の下方に形成されたステージ１５３上に案内される。ステージ１５３上に案内された遊技球は、ステージ１５３上から前方の遊技領域に転落したり、ステージ１５３上を転動した後ステージ１５３の中央奥側に形成されたポケット１５４に入球したりする。尚、ポケット１５４は、始動入賞ユニット３３（上入賞口３３ａ）の直上方の遊技領域へと通じる案内通路１５５と連通しており、該ポケット１５４に入球した遊技球は、比較的高い確率で始動入賞ユニット３３（上入賞口３３ａ）に入球するようになっている。
【００４４】
また、遊技盤３０には、内レール構成部５１と外レール構成部５２とからなり、発射装置６０から発射された遊技球を遊技盤３０上部へ案内するレール５０が取付けられている。これにより、ハンドル１８の回動操作に伴い発射された遊技球は発射レール６１及びレール５０を通じて、遊技盤３０とガラスユニット１３７との間に形成される遊技領域内に案内される。
【００４５】
内レール構成部５１の先端部分（図４の左上部）には戻り球防止部材５３が取着されている。これにより、一旦、レール５０から遊技領域へと案内された遊技球が再度レール５０内に戻ってしまうといった事態が防止される。また、外レール構成部５２の略先端部（図４の右上部）には、返しゴム５４が取着されている。所定以上の勢いで発射された遊技球は、返しゴム５４に当たって例えば遊技盤３０の略中央部側へ戻されることとなる。
【００４６】
また、本実施形態では、外レール構成部５２が遊技盤３０の右上部で途絶え、内レール構成部５１が遊技盤３０の右下部で途絶えている。このため、遊技領域は、レール５０及び樹脂ベース３８の窓孔３９の内周面により画定される。但し、発射装置６０にて打出された遊技球が、戻り球防止部材５３を通過するまでは、レール５０を逆流する場合があるため、内外レール構成部５１，５２の並行部分は遊技領域から除かれる。
【００４７】
図３に示すように、前面枠セット１４の背面側には、窓部１０１の下方において、球通路ユニット７０が設けられている。球通路ユニット７０は、後述する払出機構部３５２から下皿１５の排出口１６へ繋がる下皿連通路７１と、払出機構部３５２から上皿１９へ繋がる上皿連通路７３と備えている。また、内枠１２の前面側に設けられた発射レール６１とレールユニット５０（外レール構成部５２）との間には所定間隔の隙間があり、前面枠セット１４の球通路ユニット７０には、前記隙間より落下した遊技球を下皿１５へと案内するファール球通路７２が形成されている。これにより、仮に、発射装置６０から発射された遊技球が戻り球防止部材５３まで至らずファール球としてレール５０を逆戻りする場合には、そのファール球がファール球通路７２を介して下皿１５に排出される。
【００４８】
また、図３及び図４中の符号６７は後述する払出機構部３５２により払出された遊技球を内枠１２の前方に案内するための払出通路であり、上皿連通路７３（上皿１９）に通じる通路と、下皿連通路７１（下皿１５）に通じる通路とに分かれている。払出通路６７の下方にはシャッタ６８が設けられており、前面枠セット１４を開放した状態では、バネ等の付勢力によりシャッタ６８が前方に突出して払出通路６７の出口をほぼ閉鎖するようになっている。また、前面枠セット１４を閉じた状態では、下皿連通路７１の入口側後端部によってシャッタ６８が押し開けられるようになっている。尚、下皿連通路７１及び上皿連通路７３の入口（球流入部）が隣接するとともに、前面枠セット１４の閉状態において当該各入口と払出通路６７とが所定距離だけ離間しており、両者間の隙間を遊技球が通過可能となっている。このため、上皿１９及び上皿連通路７３が遊技球で満杯となると、払出される遊技球が下皿連通路７１側に流れ（下皿連通路７１の入口側に溢れ）、下皿連通路７１を通って下皿１５に払出されることとなる。
【００４９】
加えて、球通路ユニット７０には、下皿連通路７１内に位置する遊技球を検知する満杯検知スイッチ（図示略）が設けられている。当該満杯検知スイッチの存在により、下皿１５が遊技球で満杯になっていること（下皿１５が遊技球で満杯となり、下皿連通路７１において遊技球が滞留していること）を把握することができる。本実施形態では、満杯検知スイッチによって所定時間継続して遊技球が検知されることに基づき、装飾図柄表示装置４２における表示や音声等を用いて下皿１５が満杯であることを教示するエラー報知の制御が行われる。尚、下皿連通路７１における遊技球の滞留が解消され、満杯検知スイッチにより遊技球が検知されなくなると（所定時間継続して検知されなくなると）エラー報知の状態が解除される。
【００５０】
次に、パチンコ機１０の背面構成について図５、図６等を参照して説明する。パチンコ機１０の背面には、各種制御基板が上下左右に並べられるようにして、一部前後に重ねられるようにして配置されており、さらに、遊技球を供給する遊技球供給装置（払出機構）や樹脂製の保護カバー等が取り付けられている。払出機構及び保護カバーは１ユニットとして一体化されており、一般に樹脂部分を裏パックと称することもあるため、ここではそのユニットを「裏パックユニット２０３」と称する。
【００５１】
まず、遊技盤３０の背面構成について説明する。図６に示すように、遊技盤３０中央の貫通孔に対応して配設された可変表示装置ユニット３５（図４参照）の背面側には、センターフレーム４７を背後から覆う樹脂製のフレームカバー２１３が後方に突出して設けられている。また、フレームカバー２１３の背面側には、フレームカバー２１３の開口部から前方に臨む液晶表示装置たる装飾図柄表示装置４２、表示制御装置４５及びサブ制御装置２６２が前後に重ねられた状態で着脱可能に取り付けられている。
【００５２】
装飾図柄表示装置４２は、当該装飾図柄表示装置４２の表示部（液晶画面）をパチンコ機１０の前面側に露出させるための開口部が形成された収容ボックス４２ａに収容されてフレームカバー２１３の背面側に固定されている。表示制御装置４５は基板ボックス４５ａに収容されて装飾図柄表示装置４２（収容ボックス４２ａ）の背面側に固定されている。サブ制御装置２６２は基板ボックス２６２ａに収容されて表示制御装置４５（基板ボックス４５ａ）の背面側に固定されている。尚、フレームカバー２１３内には、センターフレーム４７に内蔵されたＬＥＤ等を駆動するＬＥＤ制御基板等が配設されている。また、収容ボックス４２ａ及び基板ボックス４５ａ，２６２ａは透明樹脂材料等により構成され、内部が視認可能となっている。
【００５３】
フレームカバー２１３の下方には裏枠セット２１５が、一般入賞口３１、可変入賞装置３２及び始動入賞ユニット３３等を背後から覆うようにして遊技盤３０に取付けられている。裏枠セット２１５は、各種入賞口に入賞した遊技球を回収するための球回収機構を備えている（図示略）。この球回収機構により回収された遊技球は、後述する排出通路部２１７に案内され、排出通路部２１７の排出シュートからパチンコ機１０外部に排出される。
【００５４】
また、本実施形態では、裏枠セット２１５が主制御装置２６１の取付台として機能する。より詳しくは、主制御装置２６１を搭載した基板ボックス２６３が、裏枠セット２１５に対し回動可能に軸支され、後方に開放可能となっている。
【００５５】
主制御装置２６１は透明樹脂材料等よりなる基板ボックス２６３に収容されている。基板ボックス２６３は、ボックスベースと該ボックスベースの開口部を覆うボックスカバーとを備え、これらボックスベースとボックスカバーとが封印部材によって連結されている。封印部材によって連結された基板ボックス２６３は、所定の痕跡を残さなければ開封できない構成となっている。これにより、基板ボックス２６３が不正に開封された旨を容易に発見することができる。
【００５６】
また、遊技盤３０には、一般入賞口３１等の各種入賞口に対応して、当該各種入賞口へ入球した遊技球を検出する入球検出スイッチが設けられている。具体的には、図４に示すように、一般入賞口３１に対応する位置には入賞口スイッチ２２１が設けられ、可変入賞装置３２にはカウントスイッチ２２３が設けられている。また、始動入賞ユニット３３には、上入賞口３３ａ及び下入賞口３３ｂそれぞれに対応して第１始動入賞スイッチ２２４ａ、第２始動入賞スイッチ２２４ｂが設けられている。さらに、スルーゲート３４に対応する位置にはスルーゲートスイッチ２２５が設けられている。
【００５７】
また、図示は省略するが、裏枠セット２１５には、入賞口スイッチ２２１、カウントスイッチ２２３及びスルーゲートスイッチ２２５とケーブルコネクタを介して電気的に接続される第１盤面中継基板が設けられている。この第１盤面中継基板は、入賞口スイッチ２２１等と、主制御手段としての主制御装置２６１とを中継するものであり、ケーブルコネクタを介して主制御装置２６１と電気的に接続されている。これに対し、始動入賞スイッチ２２４ａ，２２４ｂは中継基板を経ることなくコネクタケーブルを介して直接主制御装置２６１に接続されている。
【００５８】
各種入球検出スイッチにて各々検出された検出結果は、主制御装置２６１に取り込まれる。そして、該主制御装置２６１よりその都度の入賞状況に応じた払出指令（遊技球の払出個数）が払出制御装置３１１に送信され、該払出制御装置３１１からの出力信号に基づき所定数の遊技球の払出しが実施される（スルーゲートスイッチ２２５により検出された場合を除く。）
この他、遊技盤３０の裏面には、図示は省略するが、可変入賞装置３２にて大入賞口を開放する大入賞口用ソレノイドが設けられ、始動入賞ユニット３３にて一対の開閉部材３３ｃを開閉駆動する入賞口用ソレノイドが設けられている。また、裏枠セット２１５には、これらソレノイドと主制御装置２６１とを中継する第２盤面中継基板（図示略）も設けられている。
【００５９】
次に、裏パックユニット２０３の構成を説明する。図５に示すように、裏パックユニット２０３は、樹脂成形された裏パック３５１と、遊技球の払出機構部３５２とを一体化したものである。また、裏パックユニット２０３は、内枠１２の左側部（図５では右側）に対して開閉可能に支持されており、上下方向に沿って延びる開閉軸線を軸心として後方に開放できるようになっている。加えて、裏パックユニット２０３の左上部（図５では右上部）には外部端子板２４０が設けられている。
【００６０】
外部端子板２４０は、遊技ホールのホールコンピュータなどへの各種情報送信を中継するためのものであり、複数の外部接続端子が設けられている。便宜上、符号は付さないが、例えば現在の遊技状態（大当たり状態や確変モード等）に関する情報を出力するための端子、後述する開放検知スイッチ９１，９２によって検出される前面枠セット１４や内枠１２の開放に関する情報を出力するための端子、入球エラー、下皿満タンエラー、タンク球無しエラー、払出しエラーなど各種エラー状態に関する情報を出力するための端子、払出制御装置３１１から払出される賞球数に関する情報を出力するための端子などが設けられている。
【００６１】
裏パック３５１は例えばＡＢＳ樹脂により一体成形されており、パチンコ機１０の後方に突出して略直方体形状をなす保護カバー部３５４を備えている。保護カバー部３５４は左右側面及び上面が閉塞され且つ下面のみが開放された形状をなし、少なくともフレームカバー２１３を覆うのに十分な大きさを有する。但し、本実施形態では、保護カバー部３５４が基板ボックス２６３の上部及び右部（図５では左側の部位）も合わせて覆う構成となっている。これにより、裏パックユニット２０３の閉鎖状態において、基板ボックス２６３の右部に設けられた封印部材、及び主制御装置２６１の上縁部に沿って設けられた端子部（基板側コネクタ）が覆われることとなる。
【００６２】
払出機構部３５２は、保護カバー部３５４を迂回するようにして配設されている。すなわち、保護カバー部３５４の上方には、上側に開口したタンク３５５が設けられており、このタンク３５５には遊技ホールの島設備から供給される遊技球が逐次補給される。タンク３５５の下方には、例えば横方向２列の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ等の所定の電気的構成により必要個数の遊技球の払出が適宜行われる。そして、払出装置３５８より払出された遊技球は上皿１９等に供給される。
【００６３】
また、払出機構部３５２には、払出制御装置３１１から払出装置３５８への払出指令の信号を中継する払出中継基板３８１が設置されると共に、外部より主電源を取り込む電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦされる。
【００６４】
裏パックユニット２０３（基板ボックス２６３）の下方には、内枠１２の左側部（図５では右側）にて軸支され、後方に開放可能な下枠セット２５１が設けられている。図６に示すように、下枠セット２５１には、上述した球回収機構により回収された遊技球が流入する排出通路部２１７が形成され、排出通路部２１７の最下流部には、遊技球をパチンコ機１０外部へ排出する排出シュート（図示略）が形成されている。つまり、一般入賞口３１等の各入賞口に入賞した遊技球は、裏枠セット２１５の球回収機構を介して集合し、さらに排出通路部２１７の排出シュートを通じてパチンコ機１０外部に排出される。なお、アウト口３６も同様に排出通路部２１７に通じており、何れの入賞口にも入賞しなかった遊技球も排出シュートを介してパチンコ機１０外部に排出される。尚、本実施形態では、裏パックユニット２０３と下枠セット２５１とが別体として構成され、それぞれ独立して開閉可能であるが、裏パックユニット２０３と下枠セット２５１とが一体的に形成されることとしてもよい。
【００６５】
また、図５に示すように、下枠セット２５１の背面側には、払出制御装置３１１、発射制御装置３１２、電源装置３１３及びカードユニット接続基板３１４が前後に重ねられた状態で着脱可能に取り付けられている。
【００６６】
発射制御装置３１２及び電源装置３１３は基板ボックス３１３ａに収容されて下枠セット２５１の背面側に固定されている。尚、発射制御装置３１２及び電源装置３１３は、便宜上それぞれ独立した制御装置として説明するが、実際には１つの基板（プリント基板）により構成される。
【００６７】
また、払出制御装置３１１は、基板ボックス３１１ａに収容されて、基板ボックス３１３ａ（発射制御装置３１２及び電源装置３１３）の背面側に固定されている。尚、払出制御装置３１１が収容される基板ボックス３１１ａには、上述した主制御装置２６１が収容される基板ボックス２６３と同様に封印部材が設けられ、基板ボックス３１１ａの開封された痕跡が残るようになっている。
【００６８】
加えて、カードユニット接続基板３１４は、基板ボックス３１４ａに収容されて、基板ボックス３１３ａ（発射制御装置３１２及び電源装置３１３）の背面側に固定されている。なお、上記各基板ボックス３１１ａ，３１３ａ，３１４ａは透明樹脂材料等により構成されており、内部が視認可能となっている。
【００６９】
また、払出制御装置３１１には基板ボックス３１１ａから外方に突出する状態復帰スイッチ３２１が設けられている。例えば、払出モータ部の球詰まり等、払出エラーの発生時において状態復帰スイッチ３２１が押下されると、払出モータが正逆回転され、球詰まりの解消（正常状態への復帰）が図られる。
【００７０】
さらに、電源装置３１３には基板ボックス３１３ａから外方に突出するＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰させることができる。従って、通常手順で（例えば遊技ホールの営業終了時に）電源遮断すると電源遮断前の状態が記憶保持されることから、電源投入時に初期状態に戻したい場合には、ＲＡＭ消去スイッチ３２３を押しながら電源を投入する。
【００７１】
さて、図８〜図１１に示すように、本実施形態では、扉取付枠としての内枠１２に対して、扉体としての前面枠セット１４が左側部側及び右側部側のどちら側からでも開放可能に構成されている。これに伴い、本実施形態では、前面枠セット１４を開閉可能に支持する構成、及び、前面枠セット１４等の施錠を行う構成に特徴がある。以下、かかる特徴部分について、図面を参照しつつ説明する。尚、図１〜図６では、シリンダ錠６０５等の一部の構成を除き、基本的に前面枠セット１４の軸支や施錠に関する構成の図示が省略されている。
【００７２】
先ず、前面枠セット１４の開閉に関する構成について説明する。本実施形態では、前面枠セット１４を図１０に示すように右側部側から開放させるべく、前面枠セット１４の左側部において、軸ピン４１４を有する軸ユニット４０１（以下、左軸ユニット４０１ａとも称する）が上下一対で設けられるとともに、内枠１２の左側部において、各左軸ユニット４０１ａの軸ピン４１４を軸支する軸受ユニット４０４（以下、左軸受ユニット４０４ａとも称する）が上下一対で設けられている。また、前面枠セット１４を図１１に示すように左側部側から開放させるべく、前面枠セット１４の右側部において軸ピン４１４を有する軸ユニット４０１（以下、右軸ユニット４０１ｂとも称する）が上下一対で設けられるとともに、内枠１２の右側部において、各右軸ユニット４０１ｂの軸ピン４１４を軸支する軸受ユニット４０４（以下、右軸受ユニット４０４ｂとも称する）が上下一対で設けられている。
【００７３】
尚、本実施形態では、左軸ユニット４０１ａ及び右軸ユニット４０１ｂは、前面枠セット１４の横幅方向中央部と中心として左右対称位置に設けられており、左軸受ユニット４０４ａ及び右軸受ユニット４０４ｂは、内枠１２の横幅方向中央部を中心として左右対称位置に設けられている。また、本実施形態では、前面枠セット１４の左側部及び右側部に沿って設けられた軸ユニット４０１（左軸ユニット４０１ａ及び右軸ユニット４０１ｂ）の軸ピン４１４が第１軸部及び第２軸部を構成する。さらに、内枠１２の左側部及び右側部に沿って設けられた軸受ユニット４０４（左軸受ユニット４０４ａ及び右軸受ユニット４０４ｂ）の固定側受部４３６及び可動側受部４４３が第１軸受部及び第２軸受部を構成する。
【００７４】
図１２、図１３に示すように、軸ユニット４０１（図１２、図１３では右軸ユニット４０１ｂを示す）は、前方に開口する略箱状のハウジング４１１と、ハウジング４１１の内側に収容されるピン部材４１２と、ハウジング４１１の内側においてハウジング４１１に対して左右に相対変位可能に設けられた介在部材４１３とを備えている。ハウジング４１１は、前面枠セット１４の後面に当接した状態でねじ固定されている。尚、図１２、図１３では、前面枠セット１４のうち軸ユニット４０１の取付部位を前面枠セット１４の本体とは別体で構成した場合の例を示している。
【００７５】
ピン部材４１２は、上下に延びる略円柱状の軸ピン４１４と、軸ピン４１４の前縁部から前面枠セット１４の横幅方向中央部側に延びる略板状の取付板４１５とを備えている。取付板４１５には、軸ピン４１４との連接部の上下方向中間位置において前後に貫通する貫通孔４１６が形成されている。さらに、取付板４１５には、ねじ孔４１７が形成されており、介在部材４１３の後面側に形成されたねじ孔４１８と位置合わせされてねじ固定されている。これにより、ピン部材４１２は介在部材４１３に固定され、図１４、図１５に示すように、ハウジング４１１に対して左右に相対変位可能に構成されることとなる。
【００７６】
軸ピン４１４は、上下方向において取付板４１５の貫通孔４１６に対応する部位が縮径部４２１として構成され、取付板４１５と連結される上部及び下部が拡径部４２２として構成されている。また、縮径部４２１の外周面には、表裏一対で互いに平行して延びる平坦部４２３が形成されている。すなわち、拡径部４２２の断面形状は、略真円状をなしているが、縮径部４２１の断面形状は、円の左右両側部を真っ直ぐに切り欠いたような断面略小判型をなしている。本実施形態では、縮径部４２１の各平坦部４２３と、取付板４１５の表裏面とが略直交するようにして延びている（図１４、図２１等参照）。
【００７７】
また、軸ユニット４０１には、介在部材４１３を前面枠セット１４の（近い方の）側部側（図１２等の軸ユニット４０１に関しては右側部側）に向けて付勢する軸付勢コイルばね４２４が、介在部材４１３の前面枠セット１４の横幅方向中央部側を向いている面と、ハウジング４１１の前面枠セット１４の横幅方向中央部側の壁部の内面との間に介在するようにして設けられている。さらに、介在部材４１３には、ピン部材４１２の取付板４１５に形成された貫通孔４１６に対向する部位が切欠かれることで形成された差込凹部４２５が設けられている。加えて、ハウジング４１１には、ピン部材４１２の取付板４１５に形成された貫通孔４１６に対向する部位が切欠かれることで形成された差込凹部４２６が設けられている。当該差込凹部４２６はハウジング４１１の側辺部まで延設されて、前面枠セット１４の（近い方の）側部側に開口している。
【００７８】
尚、本実施形態では、軸ユニット４０１の全体を後方から覆うカバー４２８が取付けられるが、カバー４２８のうちハウジング４１１の差込凹部４２６に対応する位置には差込開口部４２９が形成されている。また、右軸ユニット４０１ｂと、左軸ユニット４０１ａとは互いに左右対称形状（左右対称の構成）をなしている。
【００７９】
図１６〜図１８等に示すように、軸受ユニット４０４（図１６〜図２３では右軸受ユニット４０４ｂを示す）は、内枠１２に取付けられる固定金具４３１と、固定金具４３１に対して回動変位可能に設けられる可動金具４４１とを備えている。
【００８０】
固定金具４３１は、内枠１２の後面に対して当接状態でねじ固定される連結部４３３と、連結部４３３の下辺部から前方に延出する載置部４３４と、連結部４３３の内枠１２の横幅方向中央部側に隣接して載置部４３４と一体的に形成される係合部４３５と、載置部４３４の前辺部のうち内枠１２の（近い方の）側部側の部位から前方に延出する固定部としての固定側受部４３６とを備えている。本実施形態では、内枠１２には、図２６等に示すように、各軸受ユニット４０４に対応して、前後に貫通する通し孔４３７が形成されており、当該通し孔４３７を介して、軸受ユニット４０４の固定側受部４３６（及び後述する可動側受部４４３）が内枠１２の前方に突出するように構成されている。
【００８１】
また、図１７に示すように、載置部４３４のうち固定側受部４３６の内枠１２の横幅方向中央部側の辺部の延長線上にあたる部位において、上下に貫通する回動孔４３８が形成されている。さらに、固定側受部４３６のうち内枠１２の横幅方向中央部側の辺部には、その先端側に、略半円形状の固定側切欠き部４３９が形成されている。
【００８２】
可動金具４４１は、固定金具４３１の載置部４３４の上面に当接支持される支持板部４４２と、支持板部４４２から前方に突出する可動部としての可動側受部４４３と、支持板部４４２から内枠１２の横幅方向中央部側に突出する伝達部４４４とを備えている。支持板部４４２には、可動側受部４４３のうち内枠１２の側部側の辺部の延長線上にあたる部位において、上下に貫通する回動孔４４５が形成されている。そして、支持板部４４２の回動孔４４５と、固定金具４３１の載置部４３４の回動孔４３８とが位置合わせされてピン４４０で接合されることで、可動金具４４１が固定金具４３１に対して回動孔４３８、４４５を中心に回動可能に取付けられている。
【００８３】
また、可動側受部４４３のうち内枠１２の側部側の辺部には、その先端側に、略半円形状の可動側切欠き部４４６が形成されている。図１６（ａ）等に示すように、可動側受部４４３が固定側受部４３６と略平行して延びた状態では、可動側受部４４３の可動側切欠き部４４６と、固定側受部４３６の固定側切欠き部４３９とが合致して、平面視で円形状のほぼ閉じた孔が形成されることとなる。本実施形態では、当該孔によって軸孔４４７が構成されている。軸孔４４７の内径は、軸ピン４１４の縮径部４２１の直径よりも若干大きく、かつ、軸ピン４１４の拡径部４２２の直径よりも小さくなっている。そして、図１９等に示すように、当該軸孔４４７に軸ユニット４０１の軸ピン４１４の縮径部４２１が挿通され、縮径部４２１上方の拡径部４２２下面が固定側受部４３６及び可動側受部４４３の軸孔４４７周縁部の上面に支持されることで、軸ユニット４０１が軸受ユニット４０４に軸支されることとなる。特に、右軸ユニット４０１ｂが右軸受ユニット４０４ｂに軸支されることで、前面枠セット１４の左側部側を開閉させることができ、左軸ユニット４０１ａが左軸受ユニット４０４ａに軸支されることで、前面枠セット１４の右側部側を開閉させることができるようになっている。
【００８４】
また、図１７等に示すように、可動側受部４４３は、支持板部４４２よりも一段低く構成されており、本実施形態では、軸孔４４７の周縁部を構成する可動側受部４４３及び固定側受部４３６の上面の高さ位置が揃っている（面一となっている）。これにより、軸ピン４１４の拡径部４２２を、固定側受部４３６及び可動側受部４４３の両方で受けることができ、前面枠セット１４をより安定して支持することができる。
【００８５】
さらに、本実施形態では、可動金具４４１は、図１９に示すように、可動側受部４４３が固定側受部４３６と平行して延び、固定側受部４３６と可動側受部４４３との間に、ほぼ閉じた軸孔４４７が形成される位置（以下、「規制位置」と称する）と、図２０に示すように、可動側受部４４３が固定側受部４３６に対して内枠１２の横幅方向中央部側に傾いて延び、軸孔４４７が前方に開口されて軸孔４４７から軸ピン４１４を抜き出させることができる位置（以下、「許容位置」と称する）との間を回動変位可能に構成されている。尚、詳しくは後述するが、可動金具４４１は規制位置側に付勢されており、常には、閉じた軸孔４４７が形成された状態となっている。
【００８６】
また、図１７等に示すように、可動側受部４４３には、可動側切欠き部４４６の支持板部４４２側に隣接して、内枠１２の側部側に突出し、突出方向先端側が可動側受部４４３の先端側（前方）に張り出している平面視略Ｌ字状の補助鉤部４４８が設けられている。さらに、図２１（ｂ）等に示すように、補助鉤部４４８には、可動側切欠き部４４６側の辺部の前側の部位において、略四半円状の補助切欠き部４４９が形成されており、可動金具４４１を平面視した場合に、可動側切欠き部４４６の内周面と、補助切欠き部４４９の内周面とが同一の仮想円の外周縁を画定するようにして延在している。本実施形態では、補助切欠き部４４９の前端部は、可動側切欠き部４４６の前端部よりも後方に位置しており、前記可動側切欠き部４４６は前記仮想円の約１８０度の範囲を画定するのに対し、補助切欠き部４４９は前記仮想円の約９０度強程度の範囲を画定するように構成されている。これにより、補助鉤部４４８の前縁部と可動側受部４４３の可動側切欠き部４４６の周縁部との間には、可動金具４４１を平面視した場合に、可動側切欠き部４４６及び補助切欠き部４４９の内周側の領域を前側方に開口（連通）させる開口部（以下、「進退開口部４５１と称する」）が形成されている。
【００８７】
加えて、補助鉤部４４８は、可動側受部４４３よりも一段下方に形成されており、本実施形態では、補助鉤部４４８の上面の高さ位置が、可動側受部４４３及び固定側受部４３６の下面よりも若干下方に位置している。このため、可動金具４４１が規制位置にある状態では、補助鉤部４４８が固定側受部４３６の下方位置に収まるようになっている。さらに、当該可動金具４４１が規制位置にある状態では、補助鉤部４４８の補助切欠き部４４９の内周面が、固定側切欠き部４３９の内周面と一致する（或いは、補助切欠き部４４９の内周面の方が若干外周側に位置している）ように延在している。一方、可動金具４４１が許容位置にある場合、補助鉤部４４８の補助切欠き部４４９が形成された前側の部位が固定側受部４３６の下方位置から抜け出すようになっている。
【００８８】
さらに、図２０（ｂ）、図２１（ｂ）に示すように、可動金具４４１の前端の進退開口部４５１の開口幅は、軸ピン４１４の縮径部４２１の直径（縮径部４２１の断面において、縮径部４２１の中央部を通り、かつ、外周線のうち円弧状の部分の２点間を結ぶ直線の距離）よりも小さくなっている。その一方で、縮径部４２１の断面において、縮径部４２１の外周面に形成された表裏一対の平坦部４２３部間の距離は、進退開口部４５１の開口幅よりも小さくなっている。このため、軸ピン４１４の平坦部４２３の一方が進退開口部４５１に臨むような向きで軸ピン４１４を進退開口部４５１から外側に抜け出させようとしても、軸ピン４１４が進退開口部４５１の両脇に引っ掛かって抜け出させることができない（図２３参照）。これに対し、図２０に示すように、軸ピン４１４の両平坦部４２３が進退開口部４５１に対してほぼ直交する向きとなっていれば、軸ピン４１４を進退開口部４５１から抜け出させることができる。
【００８９】
加えて、図１６、図１７等に示すように、可動金具４４１の伝達部４４４の後端部には、上方に突出し、かつ、支持板部４４２側に張り出すフック部４５２が設けられている。フック部４５２は、中央下部において後述するワイヤ６４１を引っ掛けるための引っ掛け凹部４５３が形成され、正面視略コ字状をなしている。また、伝達部４４４の後面は、可動金具４４１の係合部４３５の前面と対向配置されており、本実施形態では、両者間において、可動金具４４１を規制位置側に付勢するための軸受用コイルばね４５４が設けられている。これにより、軸受ユニット４０４は、常には可動金具４４１が規制位置にある状態で保持されるようになっている。
【００９０】
尚、軸受ユニット４０４は内枠１２の外周縁よりも内周側に位置しており、前面枠セット１４の閉状態では、前面枠セット１４と内枠１２との間から、軸受ユニット４０４や軸ユニット４０１への接触を図ることができないように構成されている。また、図１６〜図２３を参照して説明した右軸受ユニット４０４ｂと、図２４に示す左軸受ユニット４０４ａとは互いに左右対称形状（左右対称の構成）をなしている。
【００９１】
次に、施錠に関する構成について説明する。図９、図２５、図２６等に示すように、内枠１２には、当該内枠１２の右側部の後面（図９等では左側に見える辺部）に沿って縦方向に取付けられる基幹部６０１と、基幹部６０１に沿って上下にスライド変位可能な竿体６０２と、基幹部６０１の下部に設けられた錠前取付ユニット６０４と、錠前取付ユニット６０４に取付けられるシリンダ錠６０５とが設けられている。また、基幹部６０１と竿体６０２とにかけて、竿体６０２を上方へと付勢する竿用コイルばね６０６が設けられている。さらに、竿体６０２の上下２カ所には、後方に突出する鉤部６０３が設けられ、各鉤部６０３には、上方に突出する係止爪６０３ａが形成されている。
【００９２】
これに対し、固定枠としての外枠１１の右辺部１１ｄの内側面には、図３に示すように、内枠１２の閉状態において、前記各鉤部６０３とそれぞれ係止状態とされる爪受部８４、８５が取付けられている。すなわち、内枠１２が閉状態とされると、鉤部６０３の係止爪６０３ａが爪受部８４、８５の後面に引っ掛かり（係止され）、これによって、閉状態にある内枠１２の開放が規制される（内枠１２が施錠される）こととなる。本実施形態では、鉤部６０３や爪受部８４、８５等が取付枠施錠手段を構成する。
【００９３】
尚、鉤部６０３の突出方向先端面（後面）は、上方に向けて後方に傾斜している上、開状態にある内枠１２を閉じていくと、爪受部８４、８５の下辺部が、鉤部６０３の当該傾斜面に当接するようになっている。このため、シリンダ錠６０５のキー操作を行わなくても、開状態にある内枠１２を閉方向へと変位させ、最後に押し込むことで、爪受部８４、８５の下辺部と鉤部６０３の傾斜面とが摺接しつつ、竿体６０２が竿用コイルばね６０６の付勢力に抗して押し下げられるとともに、係止爪６０３ａが爪受部８４、８５よりも後方に位置したところで、竿用コイルばね６０６の付勢力によって竿体６０２が上方に変位して元の位置に戻り、係止爪６０３ａが爪受部８４、８５に係止されることとなる。
【００９４】
図１７、図１８、図３３等に示すように、シリンダ錠６０５は、前後に延びる外筒６１１と、外筒６１１の後端部から上方及び下方に延出する取付部６１２と、取付部６１２の後面から後方に突出する上下一対の取付けピン６１３と、外筒６１１の内側において回動可能に設けられ、前面側に鍵穴６１５を有する内筒６１４とを備えている。前面枠セット１４の閉状態では、外筒６１１が前面枠セット１４に形成されたシリンダ開口部６１９（図３参照）に挿入され、鍵穴６１５が前面枠セット１４の前面側に露出するようになっている。さらに、図１８に示すように、シリンダ錠６０５の後面側には、取付部６１２よりも後方にまで突出し、鍵穴６１５に図示しないキーを差し込んで内筒６１４を回動させる操作（キー操作）に伴って、内筒６１４と一体的に回動変位する係合突起６１６が設けられている。また、詳しくは後述するが、本実施形態では、シリンダ錠６０５のキー操作と、上記軸受ユニット４０４の可動金具４４１とが連動するように構成されている。
【００９５】
図１７、図１８、図３４等に示すように、錠前取付ユニット６０４は、略矩形板状をなし、内枠１２の後面に対して当接状態で設置されるベース壁６２２と、ベース壁６２２の左右側部から後方に延出する左右一対の延出壁６２３とを具備する断面略コ字状の本体部６２１と、各延出壁６２３の内側面に沿って上下にスライド可能に設けられた左右一対のスライド片６２４とを備えている。尚、本実施形態では、基幹部６０１と錠前取付ユニット６０４の本体部６２１とが一体的に形成されているが、別体として構成することも可能である。
【００９６】
ベース壁６２２には、シリンダ錠６０５の上下一対の取付けピン６１３をそれぞれ挿入可能なピン挿入孔６２５と、シリンダ錠６０５の係合突起６１６を挿入可能な突起挿入孔６２６とが形成されている。シリンダ錠６０５の取付けピン６１３の先端側の部位には図示しない雄ねじが形成されており、取付けピン６１３をベース壁６２２の前面（外面）側からピン挿入孔６２５に挿入し、ピン挿入孔６２５を介してベース壁６２２の後方（本体部６２１の内側）に位置した取付けピン６１３の先端に対してナット６１７が螺着されることで、シリンダ錠６０５が錠前取付ユニット６０４の本体部６２１に対して、前後方向に相対変位可能に取付けられている。さらに、各取付けピン６１３に外嵌するようにして、シリンダ錠６０５の取付部６１２の後面と、錠前取付ユニット６０４の本体部６２１のベース壁６２２の前面との間に介在する錠前付勢用コイルばね６２７（図３３参照）が設けられている。当該錠前付勢用コイルばね６２７によって、シリンダ錠６０５の全体が前方に付勢されている。
【００９７】
また、シリンダ錠６０５の係合突起６１６には、ベース壁６２２の後面側から突起挿入孔６２６を介して略円筒状のカム６２８が取付けられている。カム６２８の後端上縁部には、上方に延出する操作片６２９が設けられている。そして、シリンダ錠６０５の鍵穴６１５にキーを差し込んで右側（図１の時計回り方向）に回すことで、図２７、図２８に示すように、右側に回動したカム６２８の操作片６２９を、左右一対のスライド片６２４のうち右側（図２７では左側）のスライド片６２４（以下、右スライド片６２４ａと称する）に当接させて、当該右スライド片６２４ａを押し下げることができるようになっている（図３４参照）。
【００９８】
一方、シリンダ錠６０５の鍵穴６１５にキーを差し込んで左側に回すことで、図２９、図３０に示すように、左側に回動したカム６２８の操作片６２９を、左右一対のスライド片６２４のうち左側（図２９では右側）のスライド片６２４（以下、左スライド片６２４ｂと称する）に当接させて、当該左スライド片６２４ｂを押し下げることができるようになっている。尚、詳しくは後述するが、左右のスライド片６２４はそれぞれ上方に付勢されている。このため、キー操作に基づいてスライド片６２４が押し下げられた後、キー操作が解除された場合には、スライド片６２４に働く付勢力によって、元の上方位置へと戻るようになっている。
【００９９】
さらに、図３４等に示すように、各スライド片６２４には、上辺部から本体部６２１の左右幅方向中央部側に張り出す張り出し部６３１が設けられるとともに、当該張り出し部６３１にはスリット６３２が形成されている。各スライド片６２４のスリット６３２には、それぞれ上方から延びてきたワイヤ６４１が挿通されている。本実施形態では、各スリット６３２にワイヤ６４１が２本ずつ挿通されている。さらに、図２５（ａ）に示すように、スリット６３２に挿通されたワイヤ６４１の先端部には、スリット６３２の幅よりも径の大きい抜け止め材６３３が設けられている。これにより、ワイヤ６４１の下端部が可スライド片６２４に係止されることとなり、スライド片６２４が下方に変位すると、対応するワイヤ６４１が下方に引っ張られるとともに、ワイヤ６４１が上方に引っ張られると、対応するスライド片６２４が上方に変位することとなる。
【０１００】
本実施形態では、右スライド片６２４ａのスリット６３２に挿通された２本のワイヤ６４１のうち一本は、上下一対で設けられた右軸受ユニット４０４ｂのうち上側の右軸受ユニット４０４ｂへ案内され、もう一本は下側の右軸受ユニット４０４ｂへ案内されている。また、左スライド片６２４ｂのスリット６３２に挿通された２本のワイヤ６４１のうち一本は、上下一対で設けられた左軸受ユニット４０４ａのうち上側の左軸受ユニット４０４ａへ案内され、もう一本は下側の左軸受ユニット４０４ａへ案内されている。
【０１０１】
さらに、内枠１２の後面には、各ワイヤ６４１を好適に延在させるためのワイヤガイド６４３、及び、ガイドローラ６４４が設けられている。ワイヤガイド６４３は、各軸受ユニット４０４の直下方位置に設けられている。また、図１７、図１８、図２６などに示すように、ワイヤガイド６４３は、略Ｌ字状をなしており、一片側が内枠１２の後面に取付けられるとともに、他片側においてワイヤ６４１を挿通させるための上下に貫通するガイド孔６４５が形成されている。下側の右軸受ユニット４０４ｂ及び左軸受ユニット４０４ａに対応して設けられたワイヤガイド６４３にはガイド孔６４５が２つ設けられ、上側の右軸受ユニット４０４ｂ及び左軸受ユニット４０４ａに対応して設けられたワイヤガイド６４３にはガイド孔６４５が１つ設けられている。さらに、対応する軸受ユニット４０４に接続されるワイヤ６４１を挿通させるガイド孔６４５にはチューブ６４６が接続されており、当該チューブ６４６の先端部には、略筒状をなすとともに、側面視で左右方向中央部がくびれている係合金具６４７が取付けられている。
【０１０２】
図１６に示すように、係合金具６４７は、そのくびれ部分において、軸受ユニット４０４の固定金具４３１の係合部４３５と係合し、これによって、ガイド孔６４５、チューブ６４６、及び係合金具６４７に挿通されたワイヤ６４１の先端部が、固定金具４３１の係合部４３５と、可動金具４４１のフック部４５２との間に通されることとなる。また、当該ワイヤ６４１の先端部は、フック部４５２に形成された引っ掛け凹部４５３（図１８参照）に挿通されるとともに、引っ掛け凹部４５３に挿通されたワイヤ６４１の先端部には、引っ掛け凹部４５３よりも幅の大きい抜け止め材６４８（図１６（ａ）参照）が取付けられている。これにより、ワイヤ６４１の上端部が可動金具４４１に係止されることとなり、ワイヤ６４１が下方に引っ張られると、可動金具４４１が許容位置へと変位し、可動金具４４１が規制位置へと変位すると、ワイヤ６４１が上方に引っ張られることとなる。
【０１０３】
さらに、可動金具４４１を規制位置側に付勢する上記軸受用コイルばね４５４は、固定金具４３１の係合部４３５に支持された係合金具６４７の前面と、フック部４５２の後面との間にかけて、ワイヤ６４１に外嵌するようにして装着されている。また、可動金具４４１が軸受用コイルばね４５４によって規制位置側に付勢されることで、結果的に、可動金具４４１に接続されたワイヤ６４１が上方に付勢されるとともに、当該ワイヤ６４１の下端部に接続されたスライド片６２４が上方に付勢されることとなる。
【０１０４】
尚、本実施形態では、軸ユニット４０１、軸受ユニット４０４、シリンダ錠６０５、錠前取付ユニット６０４、及び、ワイヤ６４１が施錠手段を構成する。特に、左軸受ユニット４０４ａ及び右軸受ユニット４０４ｂの各可動金具４４１が第１係止手段及び第２係止手段を構成する。さらに、本実施形態では、シリンダ錠６０５が第１解錠操作手段及び第２解錠操作手段を構成する錠前手段に相当する。
【０１０５】
次に、シリンダ錠６０５のキー操作に基づく一連の動作について説明する。図３３に示すように、シリンダ錠６０５の鍵穴６１５にキーを差し込んで右側に回した（第１操作した）場合には、図２７、図２８に示すように、カム６２８の操作片６２９によって右スライド片６２４ａが押し下げられ、当該右スライド片６２４ａに接続された一対のワイヤ６４１が下方に引っ張られ、図２０に示すように、当該一対のワイヤ６４１にそれぞれ接続された上下一対の右軸受ユニット４０４ｂの可動金具４４１がそれぞれ許容位置へと変位させられる。このとき、可動金具４４１の補助鉤部４４８が、軸ピン４１４を押圧して、開放可能位置（固定側切欠き部４３９から遠ざかり、可動側切欠き部４４６及び補助切欠き部４４９から抜け出し可能となる位置）へと変位させることとなる。さらに、この状態で、前面枠セット１４の右側を前方に引っ張ることで、図２１、ひいては、図１０に示すように、前面枠セット１４を右側部側から開放させることができる。
【０１０６】
尚、可動金具４４１が軸ピン４１４を押圧して変位させたり、軸ピン４１４を軸受ユニット４０４から抜き取ったりする際には、図１５に示すように、軸ピン４１４が追従的に変位することで無理な動きを吸収するようになっており、これによって、軸受ユニット４０４の解錠から前面枠セット１４の開放に至るまでを比較的スムースに実行することができる。さらに、前面枠セット１４を開放し、シリンダ錠６０５のキー操作を解除すると、軸受用コイルばね４５４（図１６参照）の付勢力によって、図２２に示すように、可動金具４４１が規制位置へと復帰するようになっている。
【０１０７】
また、シリンダ錠６０５の鍵穴６１５にキーを差し込んで左側に回した（第２操作した）場合には、図２９、図３０に示すように、カム６２８の操作片６２９によって左スライド片６２４ｂが押し下げられ、当該左スライド片６２４ｂに接続された一対のワイヤ６４１が下方に引っ張られ、当該一対のワイヤ６４１にそれぞれ接続された上下一対の左軸受ユニット４０４ａの可動金具４４１がそれぞれ許容位置へと変位させられる。このとき、可動金具４４１の補助鉤部４４８が、軸ピン４１４を押圧して、開放可能位置へと変位させることとなる。さらに、この状態で、前面枠セット１４の左側を前方に引っ張ることで、図１１に示すように、前面枠セット１４を左側部側から開放させることができる。
【０１０８】
尚、シリンダ錠６０５のキー操作を行うことなく開状態にある前面枠セット１４を閉方向に変位させると、軸ピン４１４が、固定側受部４３６の前縁部や可動側受部４４３の前縁部に当接することとなる。本実施形態の固定側受部４３６の前縁部や可動側受部４４３の前縁部は、図２２等に示すように、軸孔４４７の中央部側に向けて後方傾斜している。このため、軸ピン４１４を固定側受部４３６や可動側受部４４３に押し付けるようにして前面枠セット１４を無理やりに閉方向に変位させていくと、固定側受部４３６の前縁部に接触した軸ピン４１４は、当該固定側受部４３６の前縁部によって後方かつ内枠１２の横幅方向中央側に案内されるとともに、当該軸ピン４１４に接触された可動側受部４４３は、内枠１２の横幅方向中央側、すなわち、許容位置側に押し退けられる。従って、キー操作を行わなくても、軸ピン４１４を軸孔４４７に挿通させ、前面枠セット１４を閉鎖（施錠）することができるようになっている。勿論、キー操作を行うことなく閉状態にある前面枠セット１４の右側部や左側部を前方へ引っ張っても、閉じた状態の軸孔４４７から軸ピン４１４を抜け出させて前面枠セット１４を開放させることはできないように構成されている。
【０１０９】
さらに、例えば、前面枠セット１４を左側部側から開放している状態において、シリンダ錠６０５にキーを差し込んで右側に回した場合、右軸受ユニット４０４ｂの可動金具４４１は図２３に示すように許容位置へと変位するものの、右軸ユニット４０１ｂの軸ピン４１４を可動金具４４１の可動側切欠き部４４６から抜け出させることができないようになっている。すなわち、前面枠セット１４の左側が開放されていることに起因して、右軸ユニット４０１ｂの軸ピン４１４の縮径部４２１が、右軸受ユニット４０４ｂの許容位置とされた可動金具４４１の進退開口部４５１から抜け出すことのできない向きとなる。従って、前面枠セット１４を左側部側から開放し、右軸ユニット４０１ｂ及び右軸受ユニット４０４ｂが前面枠セット１４の回転軸の役割を担っている状態では、シリンダ錠６０５の対応するキー操作を行ったとしても、前面枠セット１４の右側部側を開放することは不可能であり、右軸ユニット４０１ｂの軸ピン４１４が右軸受ユニット４０４ｂの軸孔４４７周縁部に軸支された状態が維持されるようになっている。
【０１１０】
同様にして、前面枠セット１４を右側部側から開放している状態において、シリンダ錠６０５にキーを差し込んで左側に回したとしても、前面枠セット１４の左側部側を開放することができないようになっている。
【０１１１】
尚、シリンダ錠６０５の内筒６１４に関しては、シリンダ錠６０５に内蔵された図示しないばねによって基準の位置に戻る。さらに、シリンダ錠６０５が内枠１２に取付けられているため、前面枠セット１４を大きく開放させるためには、シリンダ錠６０５の鍵穴６１５からキーを抜き取る必要があるが、キーを抜き取らなくても、軸ピン４１４が軸孔４４７（可動側切欠き部４４６）から抜け出す位置までは前面枠セット１４を開方向へ変位させることができるように構成されている。
【０１１２】
また、上記のように、本実施形態では、シリンダ錠６０５の全体が前後に変位可能に構成されており、シリンダ錠６０５の鍵穴６１５に差し込んだキーを更に後方に押し込むことで、図３５、図３６に示すように、錠前付勢用コイルばね６２７を縮めつつ、シリンダ錠６０５全体を後方に変位させることができる。シリンダ錠６０５全体が後方に変位することで、シリンダ錠６０５の係合突起６１６に取付けられたカム６２８についても後方に変位することとなり、この状態で、キーを右側に回した（第３操作した）場合には、図３１、図３２に示すように、カム６２８の操作片６２９が、右スライド片６２４ａではなく、竿体６０２と当接して、当該竿体６０２を、竿用コイルばね６０６の付勢力に抗して、下方に押し下げることができるようになっている。これにより、竿体６０２に設けられた鉤部６０３の係止爪６０３ａと、外枠１１に設けられた爪受部８４、８５との係止状態が解除され（外枠１１に対する内枠１２の施錠が解錠され）、内枠１２を開放可能な状態とされる。
【０１１３】
次に、配線に関する構成について説明する。図１０、図１１に示すように、前面枠セット１４の後面の上部には、後方に開口する収容凹部６５１が形成されている。本実施形態では、収容凹部６５１は、前面枠セット１４の上辺部に沿って、前面枠セット１４の左右方向中央部よりも若干右側の部位から左側部近傍にかけて形成されている。
【０１１４】
さらに、本実施形態では、内枠１２の前面の上部の左右方向略中央部と、前面枠セット１４の後面の上部の左右方向略中央部との間を連結するアーム６５２が設けられている。アーム６５２は、一対の可動片６５３の一端部同士を回転自在にピン接合することで構成されており、一方の可動片６５３の他端部が前面枠セット１４の左右方向略中央部付近の収容凹部６５１の内側に対して（上下方向を軸心として）回転自在にピン接合され、他方の可動片６５３の他端部が内枠１２の前面上部の左右方向略中央部付近に対して（上下方向を軸心として）回転自在にピン接合されている。これにより、アーム６５２は、前面枠セット１４の開閉方向において屈伸可能に構成され、前面枠セット１４を開放することで伸び（展開し）、前面枠セット１４を閉状態とすることで折り畳まれるようになっている。また、当該アーム６５２は、軸ユニット４０１及び軸受ユニット４０４と協働して、前面枠セット１４を支持するため、前面枠セット１４の開閉動作のガイドとして機能するだけでなく、軸ユニット４０１及び軸受ユニット４０４の負担を軽減させることができる。
【０１１５】
加えて、アーム６５２は、前面枠セット１４を左右のどちら側から開放しても左側に折り畳まれるように構成されている。また、可動片６５３の単体の長さは収容凹部６５１の左右の形成幅よりも短く、可動片６５３の幅は収容凹部６５１の奥行よりも小さい。このため、前面枠セット１４を閉状態とすると、アーム６５２全体が収容凹部６５１に収容されるようになっている。
【０１１６】
さらに、前面枠セット１４の後面上部には、前面枠セット１４に設けられた各種ランプ（環状電飾部１０２等）やスピーカＳＰ等と電気的に接続される前枠中継基板６５４が設けられている。また、内枠１２の前面上部には、サブ制御装置２６２と電気的に接続される内枠中継基板６５６が設けられている。さらに、前枠中継基板６５４と内枠中継基板６５６とを電気的に接続するケーブルコネクタ（以下、前枠用ハーネス６５８と称する）が設けられている。
【０１１７】
前枠中継基板６５４は、前枠用ハーネス６５８（の差込側コネクタ）に接続される扉側コネクタとしての前枠コネクタ６５５が、収容凹部６５１の側方にて、前面枠セット１４の左右方向中央部近傍部位に位置するようにして配置されている。さらに、内枠中継基板６５６は、前枠用ハーネス６５８の他端側（の差込側コネクタ）に接続される取付枠側コネクタとしての内枠コネクタ６５７が、内枠１２の左右方向中央部近傍部位に位置するように配置されている。このため、前面枠セット１４を左右のどちら側から開いても、開放角度が同程度であれば、前枠コネクタ６５５と内枠コネクタ６５７との間の距離が同程度となる。尚、本実施形態では、前枠コネクタ６５５の取付け高さ位置と、内枠コネクタ６５７の取付け高さ位置とはほぼ同じである。
【０１１８】
また、アーム６５２には、その長手方向において複数箇所に前枠用ハーネス６５８を引っ掛けるための図示しない係止部が設けられており、前枠用ハーネス６５８はかかる係止部に係止されることでアーム６５２に沿って延設されている。これにより、アーム６５２の屈伸動作に伴って前枠用ハーネス６５８についても屈伸することとなる。本実施形態では、内枠コネクタ６５７が枠側配線係止手段を構成し、前枠コネクタ６５５が扉側配線係止手段を構成する。
【０１１９】
さらに、本実施形態では、前面枠セット１４を左側部側から開放する場合に、前面枠セット１４が（平面視で反時計回り方向に）９０度弱開いた時点で、右軸受ユニット４０４ｂの固定側受部４３６の側辺部（図１９等参照）と、前面枠セット１４の右軸ユニット４０１ｂを覆うカバー４２８の差込開口部４２９の周縁部（図１２、図１３参照）とが当接し、それ以上の開放ができないようになっている。同様に、前面枠セット１４を右側部側から開放する場合に、前面枠セット１４が（平面視で時計回り方向に）９０度弱開いた時点で、左軸受ユニット４０４ａの固定側受部４３６の側辺部と、前面枠セット１４の左軸ユニット４０１ａを覆うカバー４２８の差込開口部４２９の周縁部とが当接し、それ以上の開放ができないようになっている。特に、本実施形態では、前面枠セット１４を左右どちら側に開いても、アーム６５２や前枠用ハーネス６５８が完全に伸びきる前に、前面枠セット１４の開放が制限されるようになっている。尚、本実施形態では、左右の軸受ユニット４０４の固定側受部４３６と、左右の軸ユニット４０１をそれぞれ覆うカバー４２８とが、第１開放量制限手段及び第２開放量制限手段を構成する。
【０１２０】
尚、本実施形態では、基本的に、前面枠セット１４の左右一側部側が開放された状態では、左右他側部側の軸ピン４１４を軸孔４４７から抜き取ることができないように構成されているが、前面枠セット１４の着脱が行えるように、前面枠セット１４が僅かに開いた状態、すなわち、軸ピン４１４が軸孔４４７から抜け出したものの可動側受部４４３及び固定側受部４３６の先端の近傍に位置している状態では、前面枠セット１４の左右反対側の解錠操作を行うことで、反対側の軸ピン４１４も軸孔４４７から抜き取ることができるようになっている。さらに、内枠１２を開放し、錠前取付ユニット６０４の一対のスライド片６２４ａ、６２４ｂを（直接手で触れて）一度に押し下げることでも、前面枠セット１４を取外すことができる。尚、前面枠セット１４を内枠１２から取外す方向は、２つ挙げた方法のうちどちらか一方だけでもよいし、別の方法（例えば、一対のスライド片６２４ａ、６２４ｂを同時に押下げ可能であり、所定のボタン操作を契機として駆動される所定の駆動手段で変位させられる押下げ解錠装置を設ける）があってもよい。
【０１２１】
また、前面枠セット１４を内枠１２に取付ける場合には、前面枠セット１４の後面が内枠１２の前面とほぼ平行となるようにして、軸ユニット４０１ａ、４０１ｂと軸受ユニット４０４ａ、４０４ｂとの位置合わせを行いつつ、前面枠セット１４をほぼ水平に内枠１２に押し付けることで、前面枠セット１４を内枠１２に取付けることができる。
【０１２２】
加えて、シリンダ錠６０５のキー操作が行われていない状態では、カム６２８の操作片６２９が一対のスライド片６２４ａ、６２４ｂから外れた位置にあり、スライド片６２４ａ、６２４ｂを押し下げてもスライド片６２４ａ、６２４ｂが操作片６２９の触れない構成となっていることから、上記のようにスライド片６２４ａ、６２４ｂを一度に押し下げての前面枠セット１４の開放が可能となる。また、スライド片６２４ａ、６２４ｂの各上端部において互いに近づく方向に延出する張り出し部６３１が設けられ、スライド片６２４ａ、６２４ｂが互いに近接配置されていることから、スライド片６２４ａ、６２４ｂを一度に押し下げる操作を行い易くすることができる。
【０１２３】
また、図３に示すように、内枠１２には、樹脂ベース３８の外周縁（下辺部）から前方に延出するリブ６８１が設けられているが、当該リブ６８１によって、前面枠セット１４の左右両方の軸ユニット４０１ａ、４０１ｂの軸ピン４１４を対応する軸受ユニット４０４ａ、４０４ｂから抜き取った直後に、前面枠セット１４が落下してしまうといった事態を防止することができる。
【０１２４】
尚、外枠１１の右辺枠構成部１１ｄには、基幹部６０１、竿体６０２、錠前取付ユニット６０４、及び、爪受部８４、８５等を内枠１２の後面側から覆う延出壁部８３が形成されている（図５参照）。これにより、外枠１１の背面側から線材等を進入させ、当該線材等により鉤部６０３やスライド片６２４等を操作することが困難となる。結果として、防御性能の向上を図ることができる。また、図３に示すように、下側の爪受部８５には、後述する内枠開放検知スイッチ９２に当接する押圧部８６が、外枠１１内側に向けて突設されている。
【０１２５】
さらに、延出壁部８３は、裏パックユニット２０３及び下枠セット２５１の右端部（図５では左側の端部）を背面側から覆う構成となっており、内枠１２の閉状態においては、裏パックユニット２０３及び下枠セット２５１を開放できない構成となっている。
【０１２６】
また、図４に示すように、内枠１２の前面側右下部（発射装置６０の右側）には、前面枠セット１４の開放を検知するための前面枠開放検知スイッチ９１が設けられ、図５に示すように、内枠１２の背面側右下部（図５では左下）には、内枠１２の開放を検知するための内枠開放検知スイッチ９２が設けられている。前面枠開放検知スイッチ９１及び内枠開放検知スイッチ９２は、それぞれスイッチ本体部に対して出没可能な検知部を備えており、前面枠開放検知スイッチ９１は検知部が前方に向くように設けられ、内枠開放検知スイッチ９２は検知部が後方へ向くように設けられる。そして、検知部がスイッチ本体部から突出した状態にある場合にはオン信号を主制御装置２６１に出力し、検知部がスイッチ本体部側に押圧され、スイッチ本体部に没入した状態ではオフ信号を主制御装置２６１に出力する構成となっている。つまり、前面枠開放検知スイッチ９１は前面枠セット１４の閉鎖時において検知部が前面枠セット１４の背面で押圧されてオフ状態となり、前面枠セット１４の開放時には、検知部が突出状態に戻ってオン状態となる。同様に、内枠開放検知スイッチ９２は内枠１２の閉鎖時において検知部が外枠１１の受部８５に一体形成された押圧部８６によって押圧されてオフ状態となり、内枠１２の開放時には検知部が突出状態に戻ってオン状態となる。
【０１２７】
次に、パチンコ機１０の電気的構成について説明する。図７は、本パチンコ機１０の電気的構成を示すブロック図である。主制御装置２６１（主制御基板）には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するメモリであるＲＡＭ５０３と、割込回路やタイマ回路、データ送受信回路などの各種回路等が内蔵されている。但し、ＣＰＵ、ＲＯＭ及びＲＡＭが１チップ化されておらず、それぞれの機能毎にチップ化されている構成であってもよい。
【０１２８】
ＲＡＭ５０３は、ＣＰＵ５０１の内部レジスタの内容やＣＰＵ５０１により実行される制御プログラムの戻り先番地などが記憶されるスタックエリアと、各種フラグ及びカウンタ、Ｉ／Ｏ等の値が記憶される作業エリア（作業領域）と、バックアップエリア５０３ａとを備えている。
【０１２９】
また、ＲＡＭ５０３は、パチンコ機１０の電源のオフ後においても電源装置３１３からバックアップ電圧が供給されてデータを保持（バックアップ）できる構成となっており、スタックエリア、作業エリア及びバックアップエリア５０３ａに記憶されるすべてのデータがバックアップされるようになっている。
【０１３０】
バックアップエリア５０３ａは、停電などの発生により電源が切断された場合において、電源の再入時にパチンコ機１０の状態を電源切断前の状態に復帰させるべく、電源切断時（停電発生時を含む。以下同様）のスタックポインタや、各レジスタ、Ｉ／Ｏ等の値を記憶しておくエリアである。バックアップエリア５０３ａへの書き込みは、メイン処理によって電源切断時に実行され、逆にバックアップエリア５０３ａに書き込まれた各値の復帰は、電源入時（停電解消による電源入を含む。以下同様）のメイン処理において実行される。なお、ＣＰＵ５０１のＮＭＩ端子（ノンマスカブル割込端子）には、停電等の発生による電源断時に、後述する停電監視回路５４２から出力される停電信号ＳＫ１が入力されるように構成されており、停電の発生により、停電処理（ＮＭＩ割込み処理）が即座に実行される。
【０１３１】
なお、少なくともスタックエリアとバックアップエリア５０３ａとに記憶されるデータをバックアップすれば、必ずしもすべてのエリアに記憶されるデータをバックアップする必要はない。例えば、スタックエリアとバックアップエリア５０３ａとに記憶されるデータをバックアップし、作業エリアに記憶されるデータをバックアップしない構成としてもよい。
【０１３２】
かかるＲＯＭ５０２及びＲＡＭ５０３を内蔵したＣＰＵ５０１には、アドレスバス及びデータバス等で構成されるバスライン５０４を介して入出力ポート５０５が接続されている。入出力ポート５０５には、後述するＲＡＭ消去スイッチ回路５４３、払出制御装置３１１、サブ制御装置２６２、第１及び第２特別表示装置４３Ｌ、４３Ｒ、普通図柄表示装置４１等が接続されている。この構成により、上述した特別表示装置４３Ｌ、４３Ｒ、及び普通図柄表示装置４１は、主制御装置２６１により直接的に制御される。一方、装飾図柄表示装置４２は、サブ制御装置２６２を介して制御される。
【０１３３】
その他、便宜上、各種中継基板等の図示は省略するが、入出力ポート５０５には、入賞口スイッチ２２１、カウントスイッチ２２３、始動入賞ユニットスイッチ２２４ａ，２２４ｂ、スルーゲートスイッチ２２５、ハンドル１８の各種スイッチなどの各種検出スイッチや、各種基板、可変入賞装置３２の大入賞口を開閉するシャッタを動作させるための大入賞口ソレノイドなどの各種電気部品が接続されている。つまり、主制御装置２６１には、各種ケーブルコネクタのコネクタを接続するための複数の端子部（基板側コネクタ）が設けられているが、これら端子部等により、入出力ポート５０５が構成される。
【０１３４】
サブ制御手段としてのサブ制御装置２６２（サブ制御基板）は、演算装置であるＣＰＵ５５１、該ＣＰＵ５５１により実行される各種の制御プログラムや固定値データを記憶したＲＯＭ５５２、該ＲＯＭ５５２内に記憶される制御プログラムの実行に際して各種のデータ等を一時的に記憶するメモリであるＲＡＭ５５３、入出力ポート５５４、バスライン５５５を備えるとともに、その他にも図示しない割込回路やタイマ回路、データ送受信回路などの各種回路等を備えている。ＲＡＭ５５３は、ＣＰＵ５５１による各種プログラムの実行時に使用されるワークデータやフラグを一時的に記憶するメモリである。
【０１３５】
入出力ポート５５４には、バスライン５５５を介してＣＰＵ５５１、ＲＯＭ５５２、ＲＡＭ５５３が接続されるとともに、表示制御装置４５が接続されている。さらに、入出力ポート５５４には、スピーカＳＰ、演出ボタン１２５、各種電飾部及びランプ１０２〜１０４が接続されている。
【０１３６】
サブ制御装置２６２のＣＰＵ５５１は、例えば主制御装置２６１から送信される指令信号（例えば変動パターンコマンド）に基づいて表示制御装置４５に表示制御を実行させ、装飾図柄表示装置４２に表示させる。なお、上記のように、本実施形態では、主制御装置２６１が制御する第１及び第２特別表示装置４３Ｌ、４３Ｒにて大当たりか否かを表示するようになっており、サブ制御装置２６２が制御する装飾図柄表示装置４２では、前記特別表示装置４３Ｌ、４３Ｒの表示に合わせた表示が行われる。
【０１３７】
また、払出制御装置３１１は、払出装置３５８により賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【０１３８】
払出制御装置３１１のＲＡＭ５１３は、主制御装置２６１のＲＡＭ５０３と同様に、ＣＰＵ５１１の内部レジスタの内容やＣＰＵ５１１により実行される制御プログラムの戻り先番地などが記憶されるスタックエリアと、各種フラグ及びカウンタ、Ｉ／Ｏ等の値が記憶される作業エリア（作業領域）と、バックアップエリア５１３ａとを備えている。
【０１３９】
ＲＡＭ５１３は、パチンコ機１０の電源のオフ後においても電源装置３１３からバックアップ電圧が供給されてデータを保持（バックアップ）できる構成となっており、スタックエリア、作業エリア及びバックアップエリア５１３ａに記憶されるすべてのデータがバックアップされるようになっている。なお、少なくともスタックエリアとバックアップエリア５１３ａとに記憶されるデータをバックアップすれば、必ずしもすべてのエリアに記憶されるデータをバックアップする必要はない。例えば、スタックエリアとバックアップエリア５１３ａとに記憶されるデータをバックアップし、作業エリアに記憶されるデータをバックアップしない構成としてもよい。
【０１４０】
バックアップエリア５１３ａは、停電などの発生により電源が切断された場合において、電源の再入時にパチンコ機１０の状態を電源切断前の状態に復帰させるべく、電源切断時のスタックポインタや、各レジスタ、Ｉ／Ｏ等の値を記憶しておくエリアである。このバックアップエリア５１３ａへの書き込みは、メイン処理によって電源切断時に実行され、バックアップエリア５１３ａに書き込まれた各値の復帰は電源入時のメイン処理において実行される。なお、主制御装置２６１のＣＰＵ５０１と同様、ＣＰＵ５１１のＮＭＩ端子にも、停電等の発生による電源遮断時に停電監視回路５４２から停電信号ＳＫ１が入力されるように構成されており、その停電信号ＳＫ１がＣＰＵ５１１へ入力されると、停電時処理としてのＮＭＩ割込み処理が即座に実行される。
【０１４１】
作業エリアには、払出制御装置３１１による賞球の払出許可が設定される払出許可フラグと、主制御装置２６１から送信されたコマンドを受信した場合に設定されるコマンド受信フラグと、主制御装置２６１から送信されたコマンドが記憶されるコマンドバッファとが設けられている。
【０１４２】
払出許可フラグは、賞球の払出許可を設定するフラグであり、主制御装置２６１から賞球の払出を許可する特定のコマンドが送信され、その特定のコマンドを受信した場合にオンされ、初期設定の処理又は電源遮断前へ復帰された場合にオフされる。本実施形態では、特定のコマンドは、払出制御装置３１１のＲＡＭ５１３の初期処理の指示をする払出初期化コマンドと、賞球の払出を指示する賞球コマンドと、主制御装置２６１が復電された場合に送信される払出復帰コマンドの３つである。
【０１４３】
コマンド受信フラグは、払出制御装置３１１がコマンドを受信したか否かを確認するフラグであり、いずれかのコマンドを受信した場合にオンされ、払出許可フラグと同様に、初期設定の処理又は電源遮断前へ復帰された場合にオフされるとともに、コマンド判定処理により受信されたコマンドの判定が行われた場合にオフされる。
【０１４４】
コマンドバッファは、主制御装置２６１から送信されるコマンドを一時的に記憶するリングバッファで構成されている。リングバッファは所定の記憶領域を有しており、その記憶領域の始端から終端に至るまで規則性をもってコマンドが記憶され、全ての記憶領域にコマンドが記憶された場合には、記憶領域の始端に戻りコマンドが更新されるよう構成されている。よって、コマンドが記憶された場合及びコマンドが読み出された場合に、コマンドバッファにおける記憶ポインタ及び読出ポインタが更新され、その各ポインタに基づきコマンドの記憶と読み出しとが行われる。
【０１４５】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２６１、発射制御装置３１２、払出装置３５８等がそれぞれ接続されている。
【０１４６】
カードユニット接続基板３１４は、パチンコ機１０前面の貸球操作部（球貸しボタン１２１及び返却ボタン１２２）と、遊技ホール等にてパチンコ機１０の側方に配置されるカードユニット（球貸しユニット）とにそれぞれ電気的に接続され、遊技者による球貸し操作の指令を取り込んでそれをカードユニットに出力するものである。なお、カードユニットを介さずに球貸し装置等から上皿１９に遊技球が直接貸し出される現金機では、カードユニット接続基板３１４を省略することも可能である。
【０１４７】
発射制御装置３１２は、発射装置６０による遊技球の発射を許可又は禁止するものであり、発射装置６０は、所定条件が整っている場合に駆動が許可される。具体的には、払出制御装置３１１から発射許可信号が出力されていること、遊技者がハンドル１８をタッチしていることをセンサ信号により検出していること、発射を停止させる発射禁止ボタン１８ａ（図１参照）が操作されていないことを条件に、発射装置６０が駆動され、ハンドル１８の操作量に応じた強度で遊技球が発射される。
【０１４８】
表示制御装置４５は、サブ制御装置２６２からの指示に従い、装飾図柄表示装置４２における装飾図柄の変動表示を実行するものである。この表示制御装置４５は、ＣＰＵ５２１と、プログラムＲＯＭ５２２と、ワークＲＡＭ５２３と、ビデオＲＡＭ５２４と、キャラクタＲＯＭ５２５と、ビデオディスプレイプロセッサ（ＶＤＰ）５２６と、入力ポート５２７と、出力ポート５２９と、バスライン５３０，５３１とを備えている。入力ポート５２７にはサブ制御装置２６２の入出力ポート５５４が接続されている。また、入力ポート５２７には、バスライン５３０を介して、ＣＰＵ５２１、プログラムＲＯＭ５２２、ワークＲＡＭ５２３、ＶＤＰ５２６が接続されている。また、ＶＤＰ５２６にはバスライン５３１を介して出力ポート５２９が接続されており、その出力ポート５２９には液晶表示装置たる装飾図柄表示装置４２が接続されている。
【０１４９】
表示制御装置４５のＣＰＵ５２１は、サブ制御装置２６２から送信される表示コマンドを、入力ポート５２７を介して受信するとともに、受信コマンドを解析し又は受信コマンドに基づき所定の演算処理を行ってＶＤＰ５２６の制御（具体的にはＶＤＰ５２６に対する内部コマンドの生成）を実施する。これにより、装飾図柄表示装置４２における表示制御を行う。
【０１５０】
プログラムＲＯＭ５２２は、そのＣＰＵ５２１により実行される各種の制御プログラムや固定値データを記憶するメモリであり、ワークＲＡＭ５２３は、ＣＰＵ５２１による各種プログラムの実行時に使用されるワークデータやフラグを一時的に記憶するメモリである。
【０１５１】
ビデオＲＡＭ５２４は、装飾図柄表示装置４２に表示される表示データを記憶するメモリであり、このビデオＲＡＭ５２４の内容を書き替えることにより、装飾図柄表示装置４２の表示内容が変更される。キャラクタＲＯＭ５２５は、装飾図柄表示装置４２に表示される図柄などのキャラクタデータを記憶するメモリである。
【０１５２】
ＶＤＰ５２６は、装飾図柄表示装置４２に組み込まれたＬＣＤドライバ（液晶駆動回路）を直接操作する一種の描画回路である。ＶＤＰ５２６はＩＣチップ化されているため「描画チップ」とも呼ばれ、その実体は、描画処理専用のファームウェアを内蔵したマイコンチップとでも言うべきものである。ＶＤＰ５２６は、ＣＰＵ５２１、ビデオＲＡＭ５２４等のそれぞれのタイミングを調整してデータの読み書きに介在するとともに、ビデオＲＡＭ５２４に記憶される表示データを所定のタイミングで読み出して装飾図柄表示装置４２に表示させる。
【０１５３】
また、電源装置３１３は、パチンコ機１０の各部に電力を供給する電源部５４１と、停電等による電源遮断を監視する停電監視回路５４２と、ＲＡＭ消去スイッチ３２３に接続されてなるＲＡＭ消去スイッチ回路５４３とを備えている。
【０１５４】
電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動する＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。同様に、各種スイッチやモータ等には、これらが接続される制御装置を介して動作電源が供給されることとなる。
【０１５５】
停電監視回路５４２は、停電等の発生による電源断時に、主制御装置２６１のＣＰＵ５０１及び払出制御装置３１１のＣＰＵ５１１の各ＮＭＩ端子へ停電信号ＳＫ１を出力する回路である。停電監視回路５４２は、電源部５４１から出力される最大電圧である直流安定２４ボルトの電圧を監視し、この電圧が２２ボルト未満になった場合に停電（電源断）の発生と判断して、停電信号ＳＫ１を主制御装置２６１及び払出制御装置３１１へ出力する。この停電信号ＳＫ１の出力によって、主制御装置２６１及び払出制御装置３１１は、停電の発生を認識し、停電時処理（ＮＭＩ割込み処理）を実行する。
【０１５６】
なお、電源部５４１は、直流安定２４ボルトの電圧が２２ボルト未満になった後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【０１５７】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアする回路である。ＲＡＭ消去スイッチ３２３が押下された際、ＲＡＭ消去スイッチ回路５４３は、ＲＡＭ消去信号ＳＫ２を主制御装置２６１及び払出制御装置３１１に出力する。ＲＡＭ消去スイッチ３２３が押下された状態でパチンコ機１０の電源が投入されると（停電解消による電源入を含む）、主制御装置２６１及び払出制御装置３１１においてそれぞれのＲＡＭ５０３，５１３のデータがクリアされる。
【０１５８】
以上詳述したように、本実施形態では、前面枠セット１４が左右のどちら側からでも開放可能に構成されているため、利便性の向上等を図ることができる。すなわち、パチンコ機１０の左方又は右方に隣接して所定の障害物が存在する場合でも、前面枠セット１４の反対側を開放することができることによって、障害物に阻害されることなく前面枠セット１４を開放しての作業を行うことができる。また、前面枠セット１４を開放し、前面枠セット１４後面側又は内枠１２前面側のうち前面枠セット１４の一方の回転軸側に配置されている部材への作業を行う場合に、前面枠セット１４の他方の回転軸を中心として開放するようにすれば、前面枠セット１４を開放しての作業性の向上を図ることができる。さらに、前面枠セット１４を施錠可能に構成されているため、前面枠セット１４を開放しての不正行為を抑止することができる。
【０１５９】
また、本実施形態では、軸受ユニット４０４の可動金具４４１を固定金具４３１に対して相対的に回動変位させることで、軸孔４４７に挿通された状態の軸ピン４１４の抜けを防止したり、軸孔４４７に挿通された状態の軸ピン４１４の抜けを許容したりするように構成されている。従って、軸受ユニット４０４が施錠の機能も有するように構成することで、構成の簡素化等を図りつつ、軸ユニット４０１をより好適に軸支することができる。
【０１６０】
さらに、本実施形態によれば、前面枠セットの左右一側部側が開放されている状態では、左右他側部側の施錠状態を解錠するキー操作が行われて、対応する軸受ユニット４０４の可動金具４４１が許容位置へと変位したとしても、当該軸受ユニット４０４の軸孔４４７から対応する軸ピン４１４が外れないように構成されている。従って、前面枠セット１４の左右両側部が同時に解錠状態とされてしまうといった事態を回避することができ、前面枠セット１４の脱落をより確実に防止することができる。
【０１６１】
加えて、前面枠セット１４の左右一側部を解錠するべく、シリンダ錠６０５のキー操作が行われると、対応する軸受ユニット４０４の可動金具４４１が許容位置へと変位して軸孔４４７が開口される（進退開口部４５１が形成される）とともに、当該可動金具４４１に一体的に設けられた補助鉤部４４８によって、軸孔４４７に挿通状態とされていた軸ピン４１４が開放可能位置（固定側切欠き部４３９から遠ざかり、可動側切欠き部４４６及び補助切欠き部４４９から抜け出し可能となる位置）に変位させられることとなる。これにより、前面枠セット１４の開放作業をスムースに行うことができる。
【０１６２】
また、開状態にある前面枠セット１４を閉状態とする場合には、キー操作を行わずとも前面枠セット１４を内枠１２側に押し付けることで、軸ピン４１４で軸受ユニット４０４の可動金具４４１を回動変位させて進退開口部４５１をこじ開け、軸ピン４１４を軸孔４４７に挿通させることができるようになっている。このため、閉鎖する際にキー操作を行う必要がある場合に比べ、作業性の著しい低下を防止することができる上、キー操作を誤って前面枠セット１４の左右反対側を解錠したり、内枠１２を解錠したりしてしまうといった事態を回避することができる。
【０１６３】
加えて、本実施形態では、１つのシリンダ錠６０５において、前面枠セット１４の左側部及び右側部をそれぞれ解錠する操作と、内枠１２を解錠する操作とを行うことができるため、解錠作業性の向上や構成の簡素化等を図ることができる。特に、キーを鍵穴６１５に挿入して右側に回すと前面枠セット１４の右側部側が解錠され、キーを鍵穴６１５に挿入して左側に回すと前面枠セット１４の左側部側が解錠され、キーを鍵穴６１５に差し込んでからさらにキーを奥側（後方）に押し込んで回すことで内枠１２が解錠されるといった具合に、シリンダ錠６０５の解除操作の割り当てが行われている。このため、対応関係を把握し易くすることができる。
【０１６４】
また、本実施形態の軸ピン４１４は、前面枠セット１４の後面に沿って左右に変位可能に構成されている。このため、軸ピン４１４を進退開口部４５１を介して軸孔４４７に挿通させたり、軸孔４４７から抜け出させたりする作業を比較的スムースに行うことができる。さらに、可動金具４４１（可動側受部４４３）は固定金具４３１（固定側受部４３６）よりも内枠１２の幅方向中央部側に設けられている。このため、軸受ユニット４０４よりも内枠１２の左右側辺部側に可動金具４４１が許容位置へと変位するための余地を確保する必要がなくなり、軸受ユニット４０４を極力内枠１２の左右側辺部に寄せて配置することができる。従って、前面枠セット１４の開閉軸線を好適な位置に配置できるとともに、スペース効率の向上等を図ることができる。
【０１６５】
また、例えば、内枠コネクタ６５７が内枠１２の右側部近傍に設けられ、前枠コネクタ６５５が前面枠セット１４の右側部近傍に設けられる場合には、前面枠セット１４を右側部側から開放しても電気的接続が切れないように延在させた前枠用ハーネス６５８が、前面枠セット１４を閉鎖した場合において比較的大きく弛んでしまうおそれがある。前枠用ハーネス６５８が弛むと前枠用ハーネス６５８が垂れ下がり、前枠用ハーネス６５８が垂れ下がると、例えば、前面枠セット１４が閉まらなくなったり、前枠用ハーネス６５８が遊技領域等に露出したりする等の各種不具合を招くおそれがある。このため、前面枠セット１４を閉状態とする際に前枠用ハーネス６５８を適宜収容する必要があるが、前枠用ハーネス６５８の弛みが比較的大きい場合には、前枠用ハーネス６５８の収納が比較的困難なものとなってしまうことが懸念される。これに起因して、作業性の著しい低下を招いたり、或いは、弛んだ前枠用ハーネス６５８を自動的に収納させるための装置（ゼンマイばね等を用いて前枠用ハーネス６５８を巻き取る機構など）を設ける等の構成の複雑化等を招いたりするおそれがある。
【０１６６】
この点、本実施形態によれば、前枠用ハーネス６５８と電気的に接続される前枠コネクタ６５５及び内枠コネクタ６５７がそれぞれ前面枠セット１４及び内枠１２の幅方向略中央部に配置されており、前面枠セット１４を左右のどちら側から開放する場合でも、開放角度が同程度であれば、前枠コネクタ６５５と内枠コネクタ６５７との間の距離がほぼ同じになるように構成されている。これにより、前面枠セット１４を左右両側ともに所定角度開くために必要な前面枠セット１４と内枠１２との間に架け渡される前枠用ハーネス６５８の長さを極力短くすることができる。従って、前面枠セット１４が閉鎖された場合における前枠用ハーネス６５８の弛みを極力抑制する（前枠用ハーネス６５８の弛み量の低減を図る）ことができる。結果として、前面枠セット１４を閉状態とする場合等において、前枠用ハーネス６５８を収納するための作業の簡略化や、当該作業を自動的に行わせるための構成の簡素化等を図ることができる。
【０１６７】
また、本実施形態によれば、前面枠セット１４の後面上部の横幅方向中央部と、内枠１２の前面上部の横幅方向中央部とを連結するようにして、前面枠セット１４の開閉に伴って屈伸可能なアーム６５２が設けられている。さらに、前面枠セット１４に設けられた各種ランプ等と電気的に接続されている前枠中継基板６５４は、前枠用ハーネス６５８と接続される前枠コネクタ６５５が、前面枠セット１４の後面上部の横幅方向中央部近傍に位置するように配置されている。加えて、サブ制御装置２６２と電気的に接続される内枠中継基板６５６は、前枠用ハーネス６５８と接続される内枠コネクタ６５７が、内枠１２の前面上部の横幅方向中央部近傍に位置するように配置されている。そして、前枠用ハーネス６５８がアーム６５２に沿って延設されることで、前面枠セット１４が開放された際には、前枠用ハーネス６５８がアーム６５２とともに展開し、前面枠セット１４が閉鎖された際には、前枠用ハーネス６５８がアーム６５２とともに折り畳まれ、前面枠セット１４の後面側に形成された収容凹部６５１に収容されるようになっている。従って、前面枠セット１４を閉状態とした際に前枠用ハーネス６５８の垂れ下がりを防止するとともに、前枠用ハーネス６５８をアーム６５２とともに好適に収納することができる。
【０１６８】
加えて、アーム６５２及び前枠用ハーネス６５８は、前面枠セット１４と内枠１２との横幅方向中央部間に架け渡されるようにして設けられているため、前面枠セット１４を左右のどちら側から開放する場合でも、所定角度が同じであれば、アーム６５２や前枠用ハーネス６５８の延び量がほぼ同じとなる。これによって、前面枠セット１４を左右のどちら側から開放しても前枠用ハーネス６５８を無理なく延設させることができるとともに、アーム６５２の他に前枠用ハーネス６５８の垂れ下がりを防止するための構成を設ける必要がなく、構成の簡素化を図ることができる。また、アーム６５２を設けることで、軸受ユニット４０４と協働のもと、前面枠セット１４を支持することができ、軸受ユニット４０４の負担軽減を図ることができる。
【０１６９】
また、本実施形態では、前面枠セット１４を左右のどちら側から開いた場合でも、９０度弱開放された時点で、軸受ユニット４０４の固定側受部４３６と、軸ユニット４０１を覆うカバー４２８（差込開口部４２９の開口周縁部）とが当接して、それ以上の開方向への変位が規制されるようになっている。このように、前面枠セット１４の最大開放量（最大開放角度）が制限されることで、前面枠セット１４が大きく開きすぎることに起因する不具合、例えば、当該パチンコ機１０に隣接するパチンコ機や、そのパチンコ機を遊技している遊技者に前面枠セット１４が接触してしまう等の事態を防止することができる。特に、本実施形態では、前面枠セット１４が左右のどちら側からでも開放可能に構成されていることから、前面枠セット１４が９０度程度しか開かない構成であっても、前面枠セット１４を開放しての作業を支障なく、むしろ、よりスムースに行うことができる。また、前枠用ハーネス６５８が延びる限度を超えて前面枠セット１４が開放されてしまうといった事態を回避することができ、前枠用ハーネス６５８が抜けたり損傷したりすることを防止することができる。さらに、本実施形態では、アーム６５２が伸びきる前に、前面枠セット１４の開放が制限されるように構成されているため、アーム６５２の損傷等を抑制しつつ、アーム６５２が伸びきることでアーム６５２を収縮させ難く（折り畳み難く）なってしまうといった事態を回避することができる。
【０１７０】
なお、上述した実施形態の記載内容に限定されず、例えば次のように実施してもよい。
【０１７１】
（ａ）上記実施形態では、前面枠セット１４が内枠１２の前面の全域を覆うような形状をなしているが、特にこのような構成に限定されるものではなく、例えば、図３７に示すように、内枠１２の前面の下部に対して、下皿１５及びハンドル１８が取付けられた下皿ユニット７０１が設けられるとともに、内枠１２前面の下皿ユニット７０１を除く範囲に対応して、前面枠セット１４が開閉可能に取付けられていることとしてもよい。この場合、前面枠セット１４の軽量化が図られ、軸ユニット４０１や軸受ユニット４０４の負担軽減を図ることができる。
【０１７２】
また、上記実施形態では、前面枠セット１４が左右のどちら側からでも開放可能に構成されるとともに、左右の両側部において施錠が行えるように構成されているが、当該構成に加えて、又は、代えて、その他の扉体（例えば、内枠１２、裏パックユニット２０３、上記下皿ユニット７０１を開放可能に構成する場合には該下皿ユニット７０１等）が左右のどちら側からでも開放可能かつ施錠可能に構成されてもよい。
【０１７３】
（ｂ）上記実施形態において、図３７に示すように、前面枠セット１４の上面の左右方向中央部や、その近傍（若干シリンダ錠６０５のある右側寄り）を含む範囲に、作業者が手を引っ掛けて前面枠セット１４を前方に引っ張ることのできる作業用凹部７０２を設けることとしてもよい。この場合、シリンダ錠６０５のキー操作を行って、シリンダ錠６０５が設けられた右側部側とは反対側である左側部側から前面枠セット１４を開放する場合に、作業者が前面枠セット１４の左側部にまで手を回さなくても、作業用凹部７０２に手を掛けて前面枠セット１４を比較的スムースに開放させることができる。従って、前面枠セット１４の開放作業性の向上を図ることができる。
【０１７４】
（ｃ）上記実施形態では、可動金具４４１を回動変位させて、軸孔４４７を開けたり閉めたりして前面枠セット１４の施錠・解錠を行っているが、軸受ユニット４０４とは別に、前面枠セット１４の施錠を行うための構成を設けることとしてもよい。例えば、軸孔４４７が常に開口するように構成されるとともに、ピン部材４１２が左右方向においてスライド変位しないと軸ピン４１４を軸孔４４７から抜き取り不可能に構成した上で、ピン部材４１２に当接してピン部材４１２の変位を規制する位置から、シリンダ錠６０５のキー操作に基づいて、ピン部材４１２との干渉が回避される位置へと変位する可動部材を設けるように構成してもよい。
【０１７５】
また、上記実施形態では、可動金具４４１が固定金具４３１よりも内枠１２の横幅方向中央部側に設けられているが、固定金具４３１が内枠１２の横幅方向中央側に位置するように構成されてもよい。この場合、キー操作を行うことなく前面枠セット１４を無理やり引っ張った場合（意図しなくても、ハンドル１８を掴んで起き上がる等した場合）に、前面枠セット１４に対して開方向への力が加わるといった事態を抑制することができる。また、当該構成を採用する場合には、軸ピン４１４が前面枠セット１４の側部側（上記実施形態とは反対側）に変位可能に構成することで、前面枠セット１４を確実かつスムースに開閉することができる。
【０１７６】
（ｄ）上記実施形態では、前面枠セット１４の左右一側部側を開放した状態では、左右他側部に対応する可動金具４４１が許容位置へと変位するものの、軸ピン４１４が軸孔４４７から抜け出せないようにして前面枠セット１４の不用意な脱落を防止するように構成されているが、特にこのような構成に限定されるものではない。例えば、前面枠セット１４の左右一側部側を開放した状態では、シリンダ錠６０５の対応する解錠操作を行っても、左右他側部側の軸受ユニット４０４の可動金具４４１を許容位置へと変位させることができない（キー操作と可動金具４４１とが連動しない、或いは、ストッパなどでスライド片６２４や可動金具４４１の動きが規制される等）ように構成されてもよい。尚、電子制御で、前面枠セット１４の一方を開いたときの他方が開かないように構成する（例えば、前面枠開放検知スイッチ９１による前面枠セット１４の開放検知に基づいて切替制御を行う）ことも可能であるが、電源が供給されていない状態でも確実に動作するように、機械的構成で実現することが好ましい。
【０１７７】
さらに、上記実施形態においてシリンダ錠６０５を前面枠セット１４において取付け、前面枠セット１４を閉鎖した状態でシリンダ錠６０５のキー操作を行うことで内枠１２に設けられたカム６２８等の構成が連動して、前面枠セット１４の解錠が行われるように構成してもよい。この場合、前面枠セット１４が開いた状態では、シリンダ錠６０５のキー操作を行ってもスライド片６２４を動かすことができないことから、シリンダ錠６０５のキー操作を誤り、前面枠セット１４の両側がともに解錠されてしまって前面枠セット１４が脱落してしまうといった事態をより確実に回避することができる。
【０１７８】
尚、シリンダ錠６０５のキー操作と、軸受ユニット４０４の可動金具４４１とを連動させるための構成については特に限定されるものではなく、適宜設計変更可能である。さらに、上記実施形態では、シリンダ錠６０５の全体が前後に変位可能に構成されているが、外筒６１１に対して内筒６１４が前後に相対変位可能に構成されてもよい。また、シリンダ錠６０５以外の錠前手段（カードキー、暗証番号キー、ＩＣキー等）を採用してもよい。さらに、シリンダ錠６０５の位置は特に限定されるものではなく、パチンコ機１０の左側部近傍や横幅方向中央部付近に設けることも可能である。尚、シリンダ錠６０５等の解除操作手段でないと前面枠セット１４の解錠が不可能、又は、困難となるように構成することとしてもよい。
【０１７９】
（ｅ）上記実施形態では、前枠コネクタ６５５及び内枠コネクタ６５７が、前面枠セット１４及び内枠１２の横幅方向略中央部に設けられているが、特にこのような構成に限定されるものではない。すなわち、前面枠セット１４の閉状態において、前枠コネクタ６５５と内枠コネクタ６５７とが、前面枠セット１４及び内枠１２の横幅方向中央部を中心として互いに対称となる位置に設けられることで、前面枠セット１４の左右どちら側から開放しても、開放角度が同程度であれば、前枠コネクタ６５５と内枠コネクタ６５７との間の距離を同程度とすることができ、前面枠セット１４を閉状態としたときの前枠用ハーネス６５８の弛みを極力抑制することができる。
【０１８０】
（ｆ）例えば、図３８〜図４０に示すように、前面枠セット１４の右側部近傍に前枠コネクタ６５５を配置するとともに、内枠１２の左側部近傍に内枠コネクタ６５７を配置することとしてもよい。当該構成を採用する場合、前面枠セット１４の右側部を開放すると、前面枠セット１４の後面に沿って前枠用ハーネス６５８が延在し、前面枠セット１４の左側部を開放すると、内枠１２の前面に沿って前枠用ハーネス６５８が延在することとなるが、どちら側から開いても、開き具合が同程度であれば、前枠コネクタ６５５と内枠コネクタ６５７との間の距離はほぼ同じとなる。
【０１８１】
尚、前面枠セットの左側部近傍に前枠コネクタ６５５を配置するとともに、内枠１２の右側部近傍に内枠コネクタ６５７を配置することでも、同様の作用効果が奏される。すなわち、前面枠セット１４の左側部を開放すると、前面枠セット１４の後面に沿って前枠用ハーネス６５８が延在し、前面枠セット１４の右側部を開放すると、内枠１２の前面に沿って前枠用ハーネス６５８が延在することとなるが、どちら側から開いても、開き具合が同程度であれば、前枠コネクタ６５５と内枠コネクタ６５７との間の距離はほぼ同じとなる。
【０１８２】
さらに、これらの構成では、前面枠セット１４を開放した場合と閉鎖した場合とで、前枠コネクタ６５５と内枠コネクタ６５７との間の距離の変化を極力小さく（ほとんど変化がないように）することができる。従って、前面枠セット１４を閉鎖した際の前枠用ハーネス６５８の弛み量を飛躍的に低減させることができる。また、本例では、前面枠セット１４を開放した際に、前枠用ハーネス６５８が内枠１２の前面や前面枠セット１４の後面に沿って（ほぼ張り付くようにして）延在することとなるため、前枠用ハーネス６５８が前面枠セット１４を開放しての作業の邪魔になるといった事態を抑制することができる。尚、前枠コネクタ６５５及び内枠コネクタ６５７が、前面枠セット１４の一側部側及び内枠１２の他側部側に配置されたとしても、前面枠セット１４を左右両側から開放可能な構成であるため、どちらか一方への作業が比較的困難になってしまうといった事態を回避することができる。
【０１８３】
（ｇ）また、上記（ｆ）の構成を採用する場合、図４１、図４２に示すように、内枠１２の前面側において上下にスライド可能に構成されるとともに、前面枠セット１４の閉状態において収容凹部６５１に収容される持ち上げガイド７１１を設けることとしてもよい。すなわち、持ち上げガイド７１１の前面は下方に向けて後方傾斜している。一方、収容凹部６５１には、持ち上げガイド７１１に対応する位置において一段低く構成された受け入れ凹部７１２が形成され、受け入れ凹部７１２における収容凹部６５１の上下幅は、持ち上げガイド７１１の上下幅よりも大きくなっている。前面枠セット１４の開状態では、持ち上げガイド７１１の前面の上下方向中間位置と、受け入れ凹部７１２の下縁部とが同じ高さ位置となっている。そして、前面枠セット１４を閉方向に回動変位させていくと、（弛み量によっては）弛んできた前枠用ハーネス６５８が持ち上げガイド７１１の上面に支持されるとともに、やがて、持ち上げガイド７１１の前面が受け入れ凹部７１２に下縁部に当接する。この状態で前面枠セット１４を押し込むことで、持ち上げガイド７１１が上方に案内されるとともに、持ち上げガイド７１１によって、垂れ下がろうとする前枠用ハーネス６５８が持ち上げられる。これにより、前面枠セット１４を閉鎖する場合の前枠用ハーネス６５８の垂れ下がりをより確実に防止するとともに、収容凹部６５１をさほど大きくしなくても、前面枠セット１４の閉鎖の都度、前枠用ハーネス６５８を収容凹部６５１にきちんと収納することができる。
【０１８４】
（ｈ）また、上記実施形態では、左軸ユニット４０１ａ（左軸受ユニット４０４ａ）と、右軸ユニット４０１ｂ（右軸受ユニット４０４ｂ）との間の丁度中間位置と、前面枠セット１４（内枠１２）の横幅方向中央部とが一致するような構成となっているが、ずれていてもよい。この場合、左右の軸の間の中央部を中心として、前枠コネクタ６５５及び内枠コネクタ６５７を互いに対称位置に設けることで、前面枠セット１４の左右どちら側から開放しても、開放角度が同程度であれば、前枠コネクタ６５５と内枠コネクタ６５７との間の距離を同程度とすることができる。
【０１８５】
勿論、左軸ユニット４０１ａ（左軸受ユニット４０４ａ）と、右軸ユニット４０１ｂ（右軸受ユニット４０４ｂ）とが、前面枠セット１４（内枠１２）の横幅方向中央部を中心とした対称位置とならないように、ずれて配置されてもよい。
【０１８６】
尚、前面枠セット１４を開放した際に前枠用ハーネス６５８が弛まないように、前枠用ハーネス６５８に常にテンションがかかるように常に前枠用ハーネス６５８を引っ張っておく手段を設けたり、前枠用ハーネス６５８を巻き取り手段を設けたりすることも考えられるが、この場合、前枠用ハーネス６５８の損傷が懸念される上、構成の複雑化や故障リスクの増大等を招くおそれがあるため、上記実施形態や、上記（ｆ）、（ｇ）に記載のように、前枠用ハーネス６５８を引っ張ったり巻いたりすることなく、弛みを抑制することが好ましい。
【０１８７】
（ｉ）上記実施形態において、例えば、前面枠セット１４の後面、及び、内枠１２の前面のうち少なくとも一方に対し、前枠用ハーネス６５８の延在方向を規定するガイド（例えばガイドローラ等）を設けることとしてもよい。例えば、前面枠セット１４に該ガイドを設けた場合、前枠用ハーネス６５８は、前枠コネクタ６５５からガイドにかけては前面枠セット１４の後面に沿って延び、ガイドが屈曲点として、ガイドから先は、内枠１２側に向けて前面枠セット１４の後面に対して交差する方向に延びることとなる。また、ガイドを使用する場合、前枠コネクタ６５５及び内枠コネクタ６５７自体を相対位置に配置しなくても、前面枠セット１４を左右のどちら側から開いても前面枠セット１４と内枠１２との間に架け渡される部分の前枠用ハーネス６５８の長さがほぼ等しくなるように構成することができる。このため、前枠コネクタ６５５及び内枠コネクタ６５７の設置位置の自由度を向上させることができる。加えて、前面枠セット１４及び内枠１２の両方でなく一方にのみガイドを使用することも可能である。尚、上記実施形態のように、ガイドを使用しない場合には、前枠用ハーネス６５８の長さを極力短くすることができる。
【０１８８】
（ｊ）上記実施形態では、可動金具４４１の補助鉤部４４８が一体的に設けられているが、補助鉤部４４８を可動側受部４４３に対して回動可能に設け（ピン接合し）、補助鉤部４４８の補助切欠き部４４９が、上記実施形態のように可動側切欠き部４４６とともに軸ピン４１４の外周に沿った円弧を描くような機能位置と、補助鉤部４４８が可動側受部４４３の下側に潜り込む解除位置との間を変位可能に構成してもよい。この場合、例えば、前面枠セット１４の左右一方側を開放してから、開放された側の軸受ユニット４０４の可動金具４４１の補助鉤部を解除位置に変位させ、再度、前面枠セット１４を閉状態として、今度は、前面枠セット１４の左右他側部側を開放させる。この状態で、前面枠セット１４の左右一方側の解錠操作を行うことで、前面枠セット１４を内枠１２から取外すことができる。当該構成を採用することで、前面枠セット１４の左右一方側を僅かに開放した状態において左右他方側の解錠操作を行うことによって前面枠セット１４を取外せるように構成しなくてもよく、防犯性能の向上や、不用意な前面枠セット１４の脱落をより確実に防止することができる。
【０１８９】
また、当該構成を採用する場合、解除位置にある補助鉤部４４８の進退開口部４５１が広がる側の変位を防止するストッパが設けられていることとしてもよい。さらに、前面枠セット１４の取付けに際して、補助鉤部４４８を機能位置へと戻すことを忘れてしまうといった事態を防止するための構成、例えば、センサやスイッチによって検出が行われて所定の報知がなされるように構成してもよいし、補助鉤部４４８を機能位置へ戻さないと鍵が上手くかからない、或いは、前面枠セット１４をきちんと閉め切れないように構成してもよい。
【０１９０】
（ｋ）上記実施形態では、前面枠セット１４の施錠を解除するキー操作を行うと、対応する軸受ユニット４０４の可動金具４４１が許容位置へと変位する際に軸ピン４１４を変位させるように構成されているが、可動金具４４１の補助鉤部４４８を省略する等して、軸ピン４１４を変位させないように構成してもよい。
【０１９１】
（ｌ）上記実施形態において、前面枠セット１４を解錠するためのシリンダ錠６０５のキー操作を行うだけで、当該キー操作に対応する前面枠セット１４の側部が若干開方向に変位する（突出する）ように構成してもよい。この場合、キー操作によって前面枠セット１４のどちら側を開放することができたのかを瞬時に把握することができる。従って、パチンコ機１０の作業に慣れていない作業者等が、左右両側を開放可能な前面枠セット１４の開放作業を行うにあたって、解錠作業を行った上で、とりあえず前面枠セット１４の左右側部のどちらか一方側に開方向へ向かう力を掛けてみて初めてどちら側が解錠されたのかを認識することができるような構成に比べ、作業性の飛躍的な向上を図ることができる。さらに、前面枠セット１４のうち開放された側の後面に指を掛けて前面枠セット１４を開くこともできる。このため、前面枠セット１４の側面において、前面枠セット１４を開け易くするために指を引っ掛けることのできる凹部や凸部等を形成する必要がない。従って、前面枠セット１４の側面に凹部を形成することで、前面枠セット１４の内側の空間が狭められてしまったり、前面枠セット１４の側面に凸部を形成することで、パチンコ機１０の設置スペースが余分に必要になってしまったりする等の不具合を回避しつつ、製造作業性の向上等を図ることができる。
【０１９２】
また、シリンダ錠６０５のキー操作を行った後、前面枠セット１４を開放させることなくキー操作を解除した（シリンダ錠６０５の内筒６１４及びカム６２８が基準の姿勢に戻った）場合には、当該キー操作に対応する前面枠セット１４の側部が開方向に若干変位した（突出した）状態から、前面枠セット１４が完全に閉鎖した状態に戻るように構成してもよい。この場合、キー操作を行ったところ、前面枠セット１４の所望とする側辺部側でなく反対の側辺部側が開いてしまうと気付いた場合に、前面枠セット１４の突出した側辺部側を後方に押し込む作業を行わなくても、キーを反対側に回すことだけで、前面枠セット１４の所望とする側辺部側を開放することができる。従って、前面枠セット１４の開閉作業性の向上等を図ることができる。
【０１９３】
尚、態様例としては、固定側受部４３６、及び、可動金具４４１が規制位置にある状態の可動側受部４４３が内枠１２の左右側辺部側に傾斜して延出するように構成し、可動金具４４１が許容位置へと回動変位すると、軸ピン４１４が補助鉤部４４８によって、内枠１２の幅方向中央部側かつ前方に押圧され、前面枠セット１４の対応する側辺部側が若干前方に突出する。さらに、軸ピン４１４が可動側切欠き部４３９及び補助切欠き部４４９から抜け出していない状態において可動金具４４１が規制位置へと回動変位すると、軸ピン４１４が可動側受部４４３（可動側切欠き部４３９前縁部）によって、内枠１２の幅方向側辺部側かつ後方に押圧され、前面枠セット１４が完全に閉鎖された状態に戻る（前面枠セット１４の左右両側部が施錠される）ように構成してもよい。この場合、補助鉤部４４８（特に補助切欠き部４４９の内周面）が押圧手段を構成し、可動側受部４４３（特に可動側切欠き部４４６の内周面）が引き戻し手段を構成する。また、例えば、軸ピン４１４を前面枠セット１４の開方向側へと変位させる押出手段を設け、キー操作を契機として、別途のリンク機構を介して、又は、押出手段を駆動させる駆動手段が駆動して、押出手段が軸ピン４１４を前方に押し出すように構成されていることとしてもよい。
【０１９４】
（ｍ）上記（ｌ）の構成では、シリンダ錠６０５のキー操作を行い、その他の前面枠セット１４の開放操作を行うことなく、キー操作を解除した場合（キーから手を放した場合）、前面枠セット１４が完全に閉鎖された状態に自動的に戻るように構成されているが、前面枠セット１４の解錠操作を行って、解錠された側の側部が突出した状態では、キー操作を解除しても、対応する可動金具４４１が規制位置に戻ることなく、許容位置で維持されるように（一旦解錠されて前方に突出した側部は内枠１２側に押し込まないと施錠されない）構成してもよい。この場合、前面枠セット１４の左側部側を開放するべく、キー操作を行ったまま、前面枠セット１４の左側部側を前方に引っ張らなければならないといった事態を回避することができ、作業性の向上を図ることができる。さらに、キーをシリンダ錠６０５に差したまま、軸ピン４１４が軸孔４４７から抜け出す程度まで前面枠セット１４を若干量開放可能に構成しておかなくても済み、外観上及び防犯上好ましくない開口部（シリンダ開口部６１９；図３参照）が前面枠セット１４に比較的大きく形成されてしまう等の事態を抑制しつつ、構成の簡素化等を図ることができる。
【０１９５】
また、前面枠セット１４の解錠操作が行われると、対応する軸ユニット４０１ａ、４０１ｂの軸ピン４１４が軸孔４４７（ひいては、補助切欠き部４４９及び可動側切欠き部４４６の内周）から外に押し出される（キー操作を解除しても前面枠セット１４は自動では閉まらない）ように構成してもよい。この場合にも、上記構成と同様に、前面枠セット１４の開放作業をスムースに行うことができる。
【０１９６】
（ｎ）上記実施形態では、軸ピン４１４の縮径部４２１に表裏一対の平坦部４２３が形成されて断面略小判型をなしているが、特にこのような構成に限定されるものではなく、例えば、断面略Ｄ字状にする等して、向きによって幅が変化するように構成されていればよい。
【０１９７】
さらに、上記実施形態では、左右のどちら側からでも前面枠セット１４を最大で９０度弱開放可能に構成されているが、それ以上に大きく開放可能に構成してもよいし、もっと小さな角度までしか開放することができないように構成してもよい。加えて、前面枠セット１４の右側と左側とで開放させることのできる角度を異ならせてもよく、さらに、例えば、大きく開放させることのできる側を最も大きく開放させた状態でしか前面枠セット１４を内枠１２から取外せないように構成する等、前面枠セット１４の左右のどちらを開放するかによって、実行可能なことが異なるように構成してもよい。
【０１９８】
また、アーム６５２で前面枠セット１４の最大開放量（最大開放角度）を制限するように構成してもよい。但し、アーム６５２が伸びきると、曲げにくくなるため、アーム６５２が伸びきる前に、前面枠セット１４のそれ以上の開放が規制されることが好ましく、さらに、アーム６５２の損傷を抑制するべく、アーム６５２以外の構成で、それが達成されることがより好ましい。さらに、上記実施形態では、アーム６５２の両端部がそれぞれ前面枠セット１４及び内枠１２に対してスライド変位しないようにピン接合されているが、前面枠セット１４及び内枠１２の一方に対して左右方向にスライド変位可能に連結してもよい。尚、上記実施形態では、アーム６５２が左側にしか折り畳まれないように構成されているが、右側にしか折り畳めないように構成してもよいし、左右のどちら側にも折り畳まれるように構成してもよい。
【０１９９】
（ｏ）上記実施形態では、前面枠セット１４の右側部及び左側部にそれぞれ対応して、軸ユニット４０１及び軸受ユニット４０４のセットが２つずつ設けられているが、３つ以上あってもよいし、１つでもよい。但し、安定した回動を行うために２つ以上が望ましく、前面枠セット１４の開放や閉鎖の際に、軸孔４４７に対する軸ピン４１４の進入や退出をスムースに行うべく２つ以下が望ましい。
【０２００】
加えて、前面枠セット１４の開放を検知する前面枠開放検知スイッチ９１の設置位置や数については特に限定されるものではなく、前面枠セット１４の左右の側部近傍に１つずつ設けてもよいし、前面枠セット１４の中央部に１つ設けてもよい。但し、防犯上の観点からすると、前面枠セット１４を大きく開けなくても開放検知が行われるように、左右の側部近傍部位にそれぞれ設けることが望ましい。
【０２０１】
（ｐ）上記実施形態では、前枠用ハーネス６５８及びアーム６５２が前面枠セット１４及び内枠１２の上部間にかけて設けられているが、下部間にかけて設けられることとしてもよい。また、上記実施形態では特に言及していないが、前枠用ハーネス６５８でハンドル１８と発射制御装置３１２との電気的接続の中継を行うよう構成してもよいし、別に構成してもよい。
【０２０２】
（ｑ）上記実施形態とは異なるタイプのパチンコ機として実施してもよい。また、パチンコ機以外にも、アレンジボール機、それに類する雀球等の各種遊技機、回胴式遊技機としてのスロットマシンや、スロットマシンとパチンコ機とを融合した形式の遊技機などとして実施してもよい。
【０２０３】
［付記］
上記実施形態から把握できる技術的思想について、以下に記載する。
【０２０４】
手段Ａ−１．扉取付枠と、前記扉取付枠に対して開閉可能に支持される扉体と、前記扉体を前記扉取付枠に施錠する施錠手段とを備え、前記扉取付枠に対して前記扉体が、その左右一側部側及び左右他側部側のどちら側からでも開放可能に構成された遊技機において、
前記扉体の左右一側部に対応して設けられた第１軸部と、
前記扉体の左右他側部に対応して設けられた第２軸部と、
前記扉取付枠の左右一側部に対応して設けられ、前記第１軸部を軸支可能とする第１軸受部と、
前記扉取付枠の左右他側部に対応して設けられ、前記第２軸部を軸支可能とする第２軸受部とを備え、
前記施錠手段は、
前記第１軸受部に軸支された状態にある前記第１軸部の前記第１軸受部から外れる方向への変位を規制する規制位置と、前記第１軸受部に軸支された状態にある前記第１軸部の前記第１軸受部から外れる方向への変位を許容する許容位置との間を変位可能に構成された第１係止手段と、
前記第２軸受部に軸支された状態にある前記第２軸部の前記第２軸受部から外れる方向への変位を規制する規制位置と、前記第２軸受部に軸支された状態にある前記第２軸部の前記第２軸受部から外れる方向への変位を許容する許容位置との間を変位可能に構成された第２係止手段と、
所定の解錠操作が行われることで、前記規制位置にある前記第１係止手段を前記許容位置へと変位可能な第１解錠操作手段と、
所定の解錠操作が行われることで、前記規制位置にある前記第２係止手段を前記許容位置へと変位可能な第２解錠操作手段とを備え、
前記扉体の施錠状態では、前記第１係止手段及び前記第２係止手段が前記規制位置にて保持され、
前記第１解錠操作手段の解錠操作が行われた場合には、前記第１係止手段が前記許容位置とされ、前記第２軸部及び前記第２軸受部を中心として、前記扉体をその左右一側部側から開放可能に構成され、
前記第２解錠操作手段の解錠操作が行われた場合には、前記第２係止手段が前記許容位置とされ、前記第１軸部及び前記第１軸受部を中心として、前記扉体をその左右他側部側から開放可能に構成されていることを特徴とする遊技機。
【０２０５】
手段Ａ−１によれば、扉体が左右のどちら側からでも開放可能に構成されているため、利便性の向上等を図ることができる。すなわち、遊技機の左方又は右方に隣接して所定の障害物（例えば、壁、別の遊技機、人等）が存在する場合でも、扉体の反対側を開放することができることによって、障害物に阻害されることなく扉体を開放しての作業を行うことができる。また、扉体を開放し、扉体又は扉取付枠のうち扉体の一方の回転軸側に配置されている部材への作業を行う場合に、扉体の他方の回転軸を中心として開放すれば、扉体を開放しての作業性の向上を図ることができる。さらに、扉体を施錠可能に構成されているため、扉体を開放しての不正行為を抑止することができる。特に、扉体の左右一側部側、及び、左右他側部側にそれぞれ対応して施錠の機構が設けられていることから、かかる作用効果がより確実に奏される。
【０２０６】
手段Ａ−２．前記扉体が前記第１軸部及び前記第１軸受部を中心として所定角度の範囲で（所定角度以上）開放されている状態では、前記第１解錠操作手段の解錠操作が行われた場合でも、前記第１軸部が前記第１軸受部に軸支された状態が維持され、
前記扉体が前記第２軸部及び前記第２軸受部を中心として所定角度の範囲で（所定角度以上）開放されている状態では、前記第２解錠操作手段の解錠操作が行われた場合でも、前記第２軸部が前記第２軸受部に軸支された状態が維持されることを特徴とする手段Ａ−１に記載の遊技機。
【０２０７】
手段Ａ−２によれば、扉体の左右一側部側又は左右他側部側のうち、一方が開放された状態では、他方の開放が規制されることとなる。従って、扉体の脱落をより確実に防止することができる。
【０２０８】
尚、「前記扉体が、前記第１軸部及び前記第１軸受部を中心として所定角度の範囲で（所定角度以上）開放されている状態では、前記規制位置にある前記第１係止手段を前記許容位置へと変位不可能に構成され、前記扉体が、前記第２軸部及び前記第２軸受部を中心として所定角度の範囲で（所定角度以上）開放されている状態では、前記規制位置にある前記第２係止手段を前記許容位置へと変位不可能に構成されていること」としてもよい。態様例としては、前記扉体が前記第１軸部及び前記第１軸受部を中心として所定角度の範囲で（所定角度以上）開放されている状態において、１）第１解錠操作手段を解錠操作しようとしても操作不可能となる構成、２）第１解錠操作手段を解錠操作しても（介在するリンク機構が機能せず）第１係止手段が連動しない構成、３）第１係止手段の許容位置側への変位を規制する変位制限位置と、第１係止手段の許容位置側への変位を許容する変位許可位置との間を変位可能なストッパを設ける等して、第１係止手段の許容位置側への変位を直接規制する構成等が挙げられる。尚、電子制御で、一方を開いたときの他方が開かないように構成することも可能であるが、電源が供給されていない状態でも確実に動作するように、機械的構成で実現することが好ましい。
【０２０９】
また、「前記扉体が、前記第１軸部及び前記第１軸受部を中心として所定角度の範囲で（所定角度以上）開放されている状態では、前記第１係止手段が前記許容位置へと変位した場合であっても、前記第１軸部の前記第１軸受部への軸支状態を解除不可能に構成され、前記扉体が、前記第２軸部及び前記第２軸受部を中心として所定角度の範囲で（所定角度以上）開放されている状態では、前記第２係止手段が前記許容位置へと変位した場合であっても、前記第２軸部の前記第２軸受部への軸支状態を解除不可能に構成されていること」としてもよい。
【０２１０】
さらに、「前記第１解除操作手段及び前記第２解除操作手段（の本体）は前記扉体に設けられ、前記扉取付枠には、前記第１解除操作手段及び前記第２解除操作手段の解除操作に連動し、前記第１係止手段及び前記第２係止手段を前記解除位置へと変位させる操作片が設けられていること」としてもよい。この場合、扉体が開いた状態では、解除操作手段の解錠操作を行っても操作片を動かすことができないことから、扉体の両側がともに開いてしまうといった事態をより確実に回避することができる。尚、操作片は、解除操作手段でないと操作不可能、又は、操作困難であることとしてもよい。
【０２１１】
手段Ａ−３．前記第１軸受部、及び、前記第２軸受部は、
前記扉取付枠に対して固定された固定部と、
前記扉取付枠に対して相対変位可能に設けられた前記第１係止手段、及び、前記第２係止手段を構成する可動部とを備え、
前記固定部と前記可動部との間に挟まれる部位において、前記第１軸部、及び、前記第２軸部を軸支可能とする軸孔が形成され、
前記第１解錠操作手段の解錠操作が行われることで、前記第１軸受部の前記可動部が前記許容位置へと変位し、当該可動部と前記固定部との間に、前記軸孔と連通し、前記軸孔に挿通されている前記第１軸部の通過を許容する隙間が形成され、
前記第２解錠操作手段の解錠操作が行われることで、前記第２軸受部の前記可動部が前記許容位置へと変位し、当該可動部と前記固定部との間に、前記軸孔と連通し、前記軸孔に挿通されている前記第２軸部の通過を許容する隙間が形成されることを特徴とする手段Ａ−１又はＡ−２に記載の遊技機。
【０２１２】
手段Ａ−３によれば、第１係止手段及び第２係止手段は、第１軸受部及び第２軸受部（可動部）によって構成されている。従って、第１軸受部及び第２軸受部が施錠の機能も有するように構成することで、構成の簡素化等を図りつつ、第１軸部及び第２軸部をより好適に軸支することができる。尚、前記第１軸受部及び前記第２軸受部は、前記可動部を前記規制位置側へと付勢する付勢手段を備えていることとしてもよい。この場合、扉体の施錠を確実に行うことができる。
【０２１３】
手段Ａ−４．前記可動部のうち前記固定部側の辺部に形成された可動側切欠き部と、前記固定部のうち前記可動部側の辺部に形成された固定側切欠き部とが合致することで前記軸孔が形成され、
前記第１軸部、及び、前記第２軸部は、その断面形状において、直径が一定ではなく、直径の異なる部位が存在し、
前記扉体の左右一側部側及び左右他側部側のうち一方側において、
他方側が閉じた状態では、前記軸部が前記軸受部から抜け出す方向に対して直交する方向における前記軸部の直径（幅）が、前記可動側切欠き部及び前記固定側切欠き部の開口幅よりも小さくなって、前記軸部が前記軸孔から抜け出し可能となり、
他方側が所定角度の範囲で（所定角度以上）開いた状態では、前記軸部が前記軸受部から抜け出す方向に対して直交する方向における前記軸部の直径が、前記可動側切欠き部及び前記固定側切欠き部のうち一方の開口幅よりも大きくなって、前記軸部が前記軸孔から抜け出し不可能となることを特徴とする手段Ａ−３に記載の遊技機。
【０２１４】
手段Ａ−４によれば、扉体の左右一側部側が開放されている状態では、左右他側部側の施錠状態を解錠する操作が行われて、対応する軸受部の可動部が許容位置へと変位したとしても、当該軸受部の軸孔から対応する軸部が外れないように構成されている。従って、上記手段Ａ−３の構成を採用する上で、扉体の脱落を防止するといった上記手段Ａ−２の作用効果が確実に奏される。
【０２１５】
手段Ａ−５．施錠状態にある前記扉体を開放可能な解錠状態とする際に所定の解錠操作が行われ、前記第１解錠操作手段と、前記第２解錠操作手段とを構成する錠前手段を備え、
前記錠前手段は、第１操作と、前記第１操作とは異なる第２操作とを行える構成であって、
前記錠前手段の前記第１操作が行われた場合には、前記第１係止手段が前記許容位置とされ、前記第２軸部及び前記第２軸受部を中心として、前記扉体をその左右一側部側から開放可能に構成され、
前記錠前手段の前記第２操作が行われた場合には、前記第２係止手段が前記許容位置とされ、前記第１軸部及び前記第１軸受部を中心として、前記扉体をその左右他側部側から開放可能に構成されていることを特徴とする手段Ａ−１乃至Ａ−４のいずれかに記載の遊技機。
【０２１６】
手段Ａ−５によれば、１つの錠前手段において、扉体の左右一側部側を解錠する操作と、扉体の左右他側部側を解錠する操作とを行うことができるため、解錠作業性の向上や施錠手段の構成の簡素化等を図ることができる。
【０２１７】
手段Ａ−６．前記第１解錠操作手段及び前記第２解錠操作手段の解錠操作に基づいて、前記第１軸受部及び前記第２軸受部のうち対応する軸受部の前記軸孔に挿通されている前記軸部を前記扉体の開方向側（前方）に押圧可能な押圧手段を備え、
前記押圧手段によって前記軸部が押圧されることで、前記扉体が開方向に変位することを特徴とする手段Ａ−５に記載の遊技機。
【０２１８】
手段Ａ−６によれば、解錠操作を行うだけで、当該解錠操作に対応する扉体の側部が若干開方向に変位する（突出する）ことから、扉体のどちら側を開放することができたのかを瞬時に把握することができる。従って、遊技機の作業に慣れていない作業者等が扉体の開放作業を行うにあたって、解錠作業を行った上で、とりあえず扉体の左右側部のどちらか一方側に開方向へ向かう力を掛けてみて初めてどちら側が解錠されたのかを認識することができるような構成に比べ、作業性の飛躍的な向上を図ることができる。さらに、扉体のうち開放された側の後面に指を掛けて扉体を開くこともできる。このため、扉体の側面において、扉体を開け易くするために指を引っ掛けることのできる凹部や凸部等を形成する必要がない。従って、扉体の側面に凹部を形成することで、扉体の内側の空間が狭められてしまったり、扉体の側面に凸部を形成することで、遊技機の設置スペースが余分に必要になってしまったりする等の不具合を回避しつつ、製造作業性の向上等を図ることができる。
【０２１９】
尚、手段Ａ−３、Ａ−４に対応して、「前記可動部は、前記規制位置から前記許容位置へと変位する際に、前記軸孔に挿通されている前記軸部を前記軸孔から抜け出す方向（前記扉体の開方向側；前方）に押圧する前記押圧手段としての押圧部を備えている」としてもよい。
【０２２０】
手段Ａ−７．前記押圧手段によって前記軸部が押圧されている状態において、前記第１解錠操作手段及び前記第２解錠操作手段の解錠操作を止めた場合に、前記軸部を前記扉体の閉方向側（後方）に押圧可能な引き戻し手段を備え、
前記引き戻し手段によって前記軸部が押圧されることで、前記扉体が閉方向に変位して完全に閉鎖した状態に戻ることを特徴とする手段Ａ−６に記載の遊技機。
【０２２１】
手段Ａ−７によれば、例えば、解錠操作手段の解錠操作を行ったところ、扉体の所望とする側辺部側でなく反対の側辺部側が開いてしまうと気付いた場合に、扉体の突出した側辺部側を後方に押し込む作業を行わなくても、扉体の反対側の側辺部側を開放させる解錠操作を行うことだけで、扉体の所望とする側辺部側を開放することができる。従って、扉体の開閉作業性の向上等を図ることができる。
【０２２２】
手段Ａ−８．前記扉取付枠は、固定枠に対して開閉可能に支持され、
前記扉取付枠を前記固定枠に施錠する取付枠施錠手段を備え、
前記錠前手段は、前記第１操作及び前記第２操作とは異なる第３操作を行える構成であって、
前記錠前手段の前記第３操作が行われた場合には、前記取付枠施錠手段が解錠状態とされ、前記固定枠に対して前記扉取付枠を開放可能に構成されていることを特徴とする手段Ａ−５乃至Ａ−７のいずれかに記載の遊技機。
【０２２３】
手段Ａ−８によれば、１つの錠前手段において、扉体の左右一側部側を解錠する操作と、扉体の左右他側部側を解錠する操作と、扉取付枠を解錠する操作とを行うことができるため、解錠作業性の向上や施錠手段の構成の簡素化等を図ることができる。
【０２２４】
手段Ａ−９．前記錠前手段は、キーを挿入可能な鍵穴を有し、
鍵穴にキーを挿入して右側に回転させる操作を行うことで、前記扉体を右側部側から開放可能に構成され、
鍵穴にキーを挿入して左側に回転させる操作を行うことで、前記扉体を左側部側から開放可能に構成され、
鍵穴にキーを挿入して押し込むことで、前記錠前手段全体、又は、キーの回転操作に伴って回転動作する内筒を奥側へ変位させてから回転させる操作を行うことで、前記扉取付枠を開放可能に構成されていることを特徴とする手段Ａ−８に記載の遊技機。
【０２２５】
手段Ａ−９によれば、キーを鍵穴に挿入して右側に回すと扉体の右側が解錠され、キーを鍵穴に挿入して左側に回すと扉体の左側が解錠され、キーを鍵穴に差し込んでからさらにキーを押し込んで回すことで扉取付枠が解錠されるといった具合に、錠前手段の解除操作の割り当てを行うことで、対応関係を把握し易くすることができる。
【０２２６】
手段Ａ−１０．前記第１軸部及び前記第２軸部は、前記扉体の後面に沿ってスライド変位可能に構成されていることを特徴とする手段Ａ−１乃至Ａ−９のいずれかに記載の遊技機。
【０２２７】
手段Ａ−１０によれば、軸部を軸孔に挿通させたり、軸孔から抜け出させたりする作業を比較的スムースに行うことができる。尚、上記手段Ａ−４に対応しては、第１軸部及び第２軸部は、扉体に対して回転変位不可能に構成されているものとする。この場合、扉取付枠に対する扉体の開放角度によって、軸部が軸受部（軸孔）から抜け出せたり、抜け出せなかったりするといった作用効果が確実に奏される。
【０２２８】
遊技機の一種として、パチンコ遊技機やスロットマシン等が知られている。パチンコ機では、例えば、発射装置にて打ち出された遊技球が案内される遊技領域に設けられた始動入球手段に遊技球が入球すると大当たり状態を発生させるか否かの当否抽選が行われる。前記当否抽選にて当選した場合には、遊技者に有利な大当たり状態が発生し、遊技者は多くの遊技価値（賞球）を獲得することが可能となる。
【０２２９】
また、パチンコ機においては、遊技盤等が設けられる内枠に対して、遊技盤を視認可能とするガラス窓が設けられた前面枠が開閉可能に取付けられており、遊技盤とガラス窓との間に形成される遊技領域等において球詰り等の各種不具合が生じた場合には、前面枠を開放して対処できるように構成されている（例えば、特開２００３−１５４１１０号公報参照）。
【０２３０】
ところで、前面枠を開放しても、前面枠の回動軸側の部位に対する作業が行い難いといった問題がある。特に、近年では、遊技領域が拡大される傾向にあり、これに伴って、前面枠を開放しての作業範囲が、前面枠の回動軸近接にまで及ぶようになっているため、かかる不具合がより顕著なものとなっている。尚、上記課題は、パチンコ機に限られるものではなく、スロットマシン等の他の遊技機にも該当する問題である。
【０２３１】
本発明は、上記例示した問題点等を解決するためになされたものであり、その目的は、扉体の不正開放を防止しつつ、扉体を開放しての作業をよりスムースに行うことができる遊技機を提供することにある。
【０２３２】
手段Ｂ−１．扉取付枠と、前記扉取付枠に対して開閉可能に支持される扉体と、前記扉体を前記扉取付枠に施錠する施錠手段とを備え、前記扉取付枠に対して前記扉体が、その左右一側部側及び左右他側部側のどちら側からでも開放可能に構成された遊技機において、
前記扉取付枠に設けられた所定の電気的構成と、前記扉体に設けられた所定の電気的構成とを電気的に接続するハーネス（ケーブルコネクタ）と、
前記扉取付枠に設けられ、前記ハーネスの一端側を前記扉取付枠に係止する枠側配線係止手段と、
前記扉体に設けられ、前記ハーネスの他端側を前記扉体に係止する扉側配線係止手段とを備え、
前記扉体を開放した場合に、前記ハーネスは、前記扉側配線係止手段と前記枠側配線係止手段との間に架け渡されるようにして延在し、
前記扉側配線係止手段及び前記枠側配線係止手段は、前記扉体を左右一側部側から所定角度開いた場合と、前記扉体を左右他側部側から前記所定角度と同程度に開いた場合とで、前記扉側配線係止手段と前記枠側配線係止手段との間の距離がほぼ等しくなるように相対配置されていることを特徴とする遊技機。
【０２３３】
手段Ｂ−１によれば、扉体が左右のどちら側からでも開放可能に構成されているため、利便性の向上等を図ることができる。すなわち、遊技機の左方又は右方に隣接して所定の障害物（例えば、壁、別の遊技機、人等）が存在する場合でも、扉体の反対側を開放することができることによって、障害物に阻害されることなく扉体を開放しての作業を行うことができる。また、扉体を開放し、扉体又は扉取付枠のうち扉体の一方の回転軸側に配置されている部材への作業を行う場合に、扉体の他方の回転軸を中心として開放すれば、扉体を開放しての作業性の向上を図ることができる。さらに、扉体を施錠可能に構成されているため、扉体を開放しての不正行為を抑止することができる。
【０２３４】
また、例えば、枠側配線係止手段が扉取付枠の右側部近傍に設けられ、扉側配線係止手段が扉体の右側部近傍に設けられる場合には、扉体を右側部側から開放しても電気的接続が切れないように延在させたハーネスが、扉体を閉鎖した場合において比較的大きく弛んでしまうおそれがある。ハーネスが弛むとハーネスが垂れ下がり、ハーネスが垂れ下がると、例えば、扉体が閉まらなくなったり、ハーネスが視認可能な遊技領域等に露出したりする等の各種不具合を招くおそれがある。このため、扉体を閉状態とする際にハーネスを適宜収容する必要があるが、ハーネスの弛みが比較的大きい場合には、ハーネスの収納が比較的困難なものとなってしまうことが懸念される。これに起因して、作業性の著しい低下を招いたり、或いは、弛んだハーネスを自動的に収納させるための装置（ゼンマイばね等を用いてハーネスを巻き取る機構など）を設ける等の構成の複雑化等を招いたりするおそれがある。
【０２３５】
この点、本手段Ｂ−１によれば、扉体を左右のどちら側から開放する場合でも、開放角度が同程度であれば、扉体と扉取付枠との間に架け渡される部分のハーネスの長さがほぼ同じになるように構成されている。これにより、扉体を左右両側ともに所定角度開くために必要な扉体と扉取付枠との間に架け渡されるハーネスの長さを極力短くすることができる。従って、扉体が閉鎖された場合におけるハーネスの弛みを極力抑制する（ハーネスの弛み量の低減を図る）ことができる。結果として、扉体を閉状態とする場合等において、ハーネスを収納するための作業の簡略化や、当該作業を自動的に行わせるための構成の簡素化等を図ることができる。
【０２３６】
尚、扉側配線係止手段及び枠側配線係止手段としては、ハーネス（の差込側コネクタ）と接続されるコネクタ（受側コネクタ）や、ハーネスの延在方向を規定するガイドが挙げられる。つまり、手段Ｂ−１では、扉取付枠に設けられた基板に設けられている取付枠側コネクタと、扉体側に設けられた基板に設けられている扉側コネクタとにかけて、真っ直ぐに架け渡されるようにしてハーネスが延設される場合だけではなく、途中にハーネスの延在方向を規定するガイドを介在させる構成（例えば、ハーネスを、扉側コネクタからガイドにかけては扉体の後面に沿わせるとともに、ガイドから先は、扉取付枠側に向けて扉体の後面に対して交差する方向に延びるように、ガイドが屈曲点となるように延在させる）も含む趣旨である。また、ガイドを使用する場合、扉側コネクタ及び取付枠側コネクタ自体を相対位置に配置しなくても、扉体を左右のどちら側から開いても扉体と扉取付枠との間に架け渡される部分のハーネスの長さがほぼ等しくなるように構成することができる。このため、扉側コネクタ及び取付枠側コネクタの設置位置の自由度を向上させることができる。加えて、扉体及び扉取付枠の両方でなく一方にのみガイドを使用することも可能である。
【０２３７】
手段Ｂ−２．遊技機の幅方向における前記扉側配線係止手段の配置は、前記扉体の閉状態において、前記扉体を右側部側から開放する際の左回転軸と、前記扉体を左側部側から開放する際の右回転軸との間の丁度中間位置を中心として、前記枠側配線係止手段の対称位置又はその近傍であることを特徴とする手段Ｂ−１に記載の遊技機。
【０２３８】
手段Ｂ−２によれば、扉体を左右のどちら側から開放する場合でも、所定角度が同じであれば、扉側配線係止手段と枠側配線係止手段との間の距離がほぼ同じとなるように構成することができる。従って、ハーネスの弛み量を極力低減させるといった上記手段Ｂ−１の作用効果が確実に奏される。
【０２３９】
尚、左右の回転軸の間において、枠側配線係止手段が左寄りであれば扉側配線係止手段は右寄りに設けられ、枠側配線係止手段が右寄りであれば扉側配線係止手段は左寄りに設けられるが、枠側配線係止手段が丁度真ん中であれば扉側配線係止手段も丁度真ん中に設けられる。また、左回転軸と、右回転軸とが、扉体及び扉取付枠の左右方向中央部を中心とする対称位置に設けられている場合には、扉体及び扉取付枠の左右方向中央部を中心として、扉側配線係止手段は、枠側配線係止手段の対称位置又はその近傍に設けられていることとなる。
【０２４０】
手段Ｂ−３．前記枠側配線係止手段及び前記扉側配線係止手段は、前記左回転軸と前記右回転軸との間の丁度中間位置又はその近傍に配置されていることを特徴とする手段Ｂ−２に記載の遊技機。
【０２４１】
手段Ｂ−３によれば、上記手段Ｂ−２の作用効果が確実に奏される。また、扉体の開閉方向において、枠側配線係止手段と扉側配線係止手段との位置が揃うことから、扉体の右側部を開放した状態から閉鎖する場合と、扉体の左側部を開放した状態から閉鎖する場合とで、弛んだハーネスの垂れ下がりを防止するための構成の共通化等を図ることができる。
【０２４２】
手段Ｂ−４．前記左回転軸と前記右回転軸との間の丁度中間位置又はその近傍において、前記扉体と前記扉取付枠との間を連結するとともに、ヒンジ機構を備えることで屈伸可能に構成されたアームが設けられ、
前記ハーネスは、前記アームに沿って延設されていることを特徴とする手段Ｂ−３に記載の遊技機。
【０２４３】
手段Ｂ−４によれば、ハーネスをアームに沿って延設することで、扉体を閉状態とした際のハーネスの垂れ下がりを防止するとともに、ハーネスをアームとともに折り畳むようにして好適に収納することができる。また、アームと軸受部とが協働して扉体を支持することができ、軸受部の負担軽減を図ることができる。さらに、アームは、扉取付枠及び扉体の左右の回転軸間の丁度中間位置又はその近傍に連結されていることから、扉体を左右の側部のどちら側から開放しても、好適に機能することができる。尚、アームは、ハーネスを係止する係止爪がアームの長手方向において複数箇所に設けられていることとしてもよい。この場合、ハーネスのアームからの脱落をより確実に防止することができる。
【０２４４】
手段Ｂ−５．前記扉体を右側部側から開放する際の左回転軸の近傍に前記枠側配線係止手段が設けられるとともに、前記扉体を左側部側から開放する際の右回転軸の近傍に前記扉側配線係止手段が設けられている、
又は、
前記扉体を左側部側から開放する際の右回転軸の近傍に前記枠側配線係止手段が設けられるとともに、前記扉体を右側部側から開放する際の左回転軸の近傍に前記扉側配線係止手段が設けられていることを特徴とする手段Ｂ−１に記載の遊技機。
【０２４５】
手段Ｂ−５によれば、枠側配線係止手段が扉取付枠の左回転軸近傍に設けられ、扉側配線係止手段が扉体の右回転軸近傍に設けられている場合には、扉体を右側部側から開放することで、ハーネスが扉体の後面に沿って延在し、扉体を左側部側から開放することで、ハーネスが扉取付枠の前面に沿って延在することとなるが、扉体を左右のどちら側から開いても、同程度の開き具合であれば、枠側配線係止手段と扉側配線係止手段との間の距離はほぼ同じとなる。
【０２４６】
一方、枠側配線係止手段が扉取付枠の右回転軸近傍に設けられ、扉側配線係止手段が扉体の左回転軸近傍に設けられている場合には、扉体を左側部側から開放することで、ハーネスが扉体の後面に沿って延在し、扉体を右側部側から開放することで、ハーネスが扉取付枠の前面に沿って延在することとなるが、扉体を左右のどちら側から開いても、同程度の開き具合であれば、枠側配線係止手段と扉側配線係止手段との間の距離はほぼ同じとなる。
【０２４７】
さらに、本手段Ｂ−５では、扉体を開放した場合と閉鎖した場合とで、取付枠側コネクタと扉側コネクタとの間の距離の変化を極力小さく（ほとんど変化がないように）することができる。従って、ハーネスの弛み量を飛躍的に低減させることができる。また、本手段Ｂ−５では、扉体を開放した際に、ハーネスが扉取付枠の前面や扉体の後面に沿って（ほぼ張り付くようにして）延在することとなるため、ハーネスが扉体を開放しての作業の邪魔になるといった事態を抑制することができる。
【０２４８】
尚、枠側配線係止手段及び扉側配線係止手段が、ハーネスに接続される取付枠側コネクタ及び扉側コネクタである場合には、取付枠側コネクタ及び扉側コネクタが、扉体の回転軸の近接配置されることで、ハーネスの着脱作業性の低下が懸念されるが、上記手段Ｂ−１のように扉体が左右両側から開くことで、かかる懸念を払拭することができる。また、左回転軸と、右回転軸とが、扉体及び扉取付枠の左右方向中央部を中心とする対称位置となるように、扉体及び扉取付枠の左側部及び右側部の近傍に設けられている場合には、前記扉取付枠の右側部近傍に前記取付枠側コネクタが設けられるとともに、前記扉体の左側部近傍に前記扉側コネクタが設けられている、又は、前記扉取付枠の左側部近傍に前記取付枠側コネクタが設けられるとともに、前記扉体の右側部近傍に前記扉側コネクタが設けられていることとしてもよい。
【０２４９】
手段Ｂ−６．前記扉取付枠の前面側、又は、前記扉体の後面側には、前記扉体を閉状態とした場合において、前記ハーネスが収容される収容凹部が形成されていることを特徴とする手段Ｂ−１乃至Ｂ−５のいずれかに記載の遊技機。
【０２５０】
手段Ｂ−６によれば、扉体を閉鎖する際に、ハーネスが邪魔になることをより確実に回避することができる。尚、収容凹部には、扉側配線係止手段及び枠側配線係止手段も収容されることとしてもよい。さらに、上記手段Ｂ−４に対応しては、「前記扉取付枠の前面側、又は、前記扉体の後面側には、前記扉体を閉状態とした場合において、前記アーム及び前記ハーネスを収容する収容凹部が形成されていること」としてもよい。この場合、扉体を閉鎖する際に、アームやハーネスが邪魔になることをより確実に回避することができる。
【０２５１】
手段Ｂ−７．前記扉取付枠及び前記扉体のうち前記収容凹部が形成されていない側には、上下にスライド可能に構成されるとともに、前記扉体の閉状態において前記収容凹部に収容される持ち上げガイドが設けられ、
前記持ち上げガイドは、前記収容凹部に収容される際に、上方に相対変位して、前記ハーネスを前記収容凹部の（内側空間の）下縁部よりも上方にまで持ち上げることを特徴とする手段Ｂ−６に記載の遊技機。
【０２５２】
手段Ｂ−７によれば、扉体を閉状態とする際に垂れ下がろうとするハーネスを持ち上げることができる。これにより、ハーネスの垂れ下がりをより確実に防止するとともに、収容凹部の大型化を抑制しつつ、ハーネスを確実に収容凹部に収容させることができる。
【０２５３】
手段Ｂ−８．前記扉体を左右一側部側から開放した場合の前記扉体の最大開放量を制限する第１開放量制限手段と、前記扉体を左右他側部側から開放した場合の前記扉体の最大開放量を制限する第２開放量制限手段とが設けられていることを特徴とする手段Ｂ−１乃至Ｂ−７のいずれかに記載の遊技機。
【０２５４】
手段Ｂ−８によれば、開放量制限手段によって扉体の最大開放量（最大開放角度）を制限することができる。従って、扉体が大きく開きすぎることに起因する不具合、例えば、当該遊技機に隣接する遊技機や、その遊技機を遊技している遊技者に扉体が接触してしまう等の事態を防止することができる。
【０２５５】
また、ハーネスが延びる限度を超えて扉体が開放されてしまうといった事態を回避することができ、ハーネスが抜けたり損傷したりすることを防止することができる。さらに、上記手段Ｂ−４に対応しては、アームが伸びきる前に、扉体の開放が開放量制限手段によって制限されるように構成されることで、アームの損傷等を抑制しつつ、アームが伸びきることでアームを収縮させ難く（折り畳み難く）なってしまうといった事態を回避することができる。
【０２５６】
手段Ｃ−１．上記手段Ａ−１乃至Ａ−１０のいずれかにおいて、上記手段Ｂ−１乃至Ｂ−８のいずれかを備えていることを特徴とする遊技機。
【０２５７】
以下に、上記各手段が適用される各種遊技機の基本構成を示す。
【０２５８】
Ａ．上記各手段における前記遊技機は弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内される遊技領域と、前記遊技領域内に配置された各入球手段（一般入賞口、可変入賞装置、作動口等）とを備えた弾球遊技機」が挙げられる。
【０２５９】
Ｂ．上記各手段における前記遊技機は略鉛直方向に延びる遊技領域を備えた弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内され、略鉛直方向に沿って延びる所定の遊技領域（例えば遊技領域は遊技盤面等により構成される）と、前記遊技領域内に配置された各入球手段（一般入賞口、可変入賞装置、作動口等）とを備え、前記遊技領域を流下する遊技球の挙動を視認可能に構成されてなる弾球遊技機」が挙げられる。
【０２６０】
Ｃ．上記各手段における前記遊技機、又は、上記各弾球遊技機は、パチンコ機又はパチンコ機に準ずる遊技機であること。
【０２６１】
Ｄ．上記各手段における遊技機は、スロットマシン等の回胴式遊技機であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成した回胴式遊技機」が挙げられる。
【０２６２】
Ｅ．上記各手段における遊技機は、スロットマシンとパチンコ機とを融合した形式の遊技機（特に遊技球を遊技媒体として使用するスロットマシン仕様の遊技機）であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成し、さらに球受皿（上皿等）を設けてその球受皿から遊技球を取り込む取込手段と、前記球受皿に遊技球の払出しを行う払出手段とを備え、前記取込手段により遊技球が取り込まれることにより遊技の開始条件が成立するように構成した遊技機」が挙げられる。
【符号の説明】
【０２６３】
１０…パチンコ機、１１…外枠、１２…内枠、１４…前面枠セット、２６１…主制御装置、２６２…サブ制御装置、４０１…軸ユニット、４０４…軸受ユニット、４１４…軸ピン、４３１…固定金具、４３６…固定側受部、４４１…可動金具、４４３…可動側受部、４４７…軸孔、４４８…補助鉤部、４５１…進退開口部、６０４…錠前取付ユニット、６０５…シリンダ錠、６２４…スライド片、６４１…ワイヤ、６５１…収容凹部、６５２…アーム、６５５…前枠コネクタ、６５７…内枠コネクタ、６５８…前枠用ハーネス。
【図１】
0005966323.tif 000002
【図２】
0005966323.tif 000003
【図３】
0005966323.tif 000004
【図４】
0005966323.tif 000005
【図５】
0005966323.tif 000006
【図６】
0005966323.tif 000007
【図７】
0005966323.tif 000008
【図８】
0005966323.tif 000009
【図９】
0005966323.tif 000010
【図１０】
0005966323.tif 000011
【図１１】
0005966323.tif 000012
【図１２】
0005966323.tif 000013
【図１３】
0005966323.tif 000014
【図１４】
0005966323.tif 000015
【図１５】
0005966323.tif 000016
【図１６】
0005966323.tif 000017
【図１７】
0005966323.tif 000018
【図１８】
0005966323.tif 000019
【図１９】
0005966323.tif 000020
【図２０】
0005966323.tif 000021
【図２１】
0005966323.tif 000022
【図２２】
0005966323.tif 000023
【図２３】
0005966323.tif 000024
【図２４】
0005966323.tif 000025
【図２５】
0005966323.tif 000026
【図２６】
0005966323.tif 000027
【図２７】
0005966323.tif 000028
【図２８】
0005966323.tif 000029
【図２９】
0005966323.tif 000030
【図３０】
0005966323.tif 000031
【図３１】
0005966323.tif 000032
【図３２】
0005966323.tif 000033
【図３３】
0005966323.tif 000034
【図３４】
0005966323.tif 000035
【図３５】
0005966323.tif 000036
【図３６】
0005966323.tif 000037
【図３７】
0005966323.tif 000038
【図３８】
0005966323.tif 000039
【図３９】
0005966323.tif 000040
【図４０】
0005966323.tif 000041
【図４１】
0005966323.tif 000042
【図４２】
0005966323.tif 000043